(57)【要約】      （修正有）【課題】片手のみのワン摘み操作による上下移動止め操作および微妙な位置決め調節操作を可能とするロック機構付き付勢巻取り装置を提供する。【解決手段】付勢巻取り装置３は、横長の前プレート９と同形状の後プレート１０とからなる筐体１１、該前プレート９と該後プレート１０の中央に固定された軸、この軸に内側端を固定された発条、この発条を内設するような形態で該発条の外端を固定してなる該発条で回転付勢されてなるリール、このリールに巻き取られた巻取り紐１３，１４、筐体に回転自在に設けられた巻取り紐１３，１４を案内する案内コロ１５，１６とからなる付勢巻取り装置本体１７と、筐体１１の上方に設けられた巻取り紐１３，１４を案内する案内コロ１８，１９からなる巻取り紐案内部２０と、この巻取り紐案内部２０の上部に設けられた巻取り紐１３，１４を通し且つその移動をロックしたりロック解除したりするロック体２１とからなっている。【選択図】図１
2009195580.tif 000002
【特許請求の範囲】
【請求項１】
筐体、この筐体に設けられた発条、この発条により付勢巻取り回転する該筐体に内設されたリール、このリールに付勢巻取られた紐とからなる付勢巻取り装置本体と、
前記リールから引き出された前記紐を付勢力により常時付勢ロック状態としておくための付勢可動体と、
前記筐体と一体成型、一体成形、融着、溶着、接着などにより一体化されてなる、前記付勢可動体を支持する可動体支持部と、
前記付勢可動体の前記紐に当る可動側紐ロック部位とで前記紐を対峙挟み形態あるいはズレ挟み形態などの挟みロック状態とする、前記可動体支持部側に設けられた支持側紐ロック部位と、
前記付勢可動体を付勢状態とするための圧縮コイルバネ、ゴム製などの弾性部材あるいは他のスプリング部材などからなる付勢手段とからなり、
前記付勢可動体がフリー状態では紐はロック状態とされるとともに、該付勢可動体を指で押し込み可動させると前記か可動側紐ロック部位と前記支持側紐ロック部位が離れて前記紐の挟みロックが解除されたロック解除状態とされて、該紐が移動自在とされることを特徴とするロック機構付き付勢巻取り装置。
【発明の詳細な説明】
【技術分野】
【０００１】
本発明は、携帯電話やＩＤカードなどを主に首から吊るし携行するのに適したロック機構付き付勢巻取り装置に関する。
【背景技術】
【０００２】
従来の付勢巻取り装置を有するネックストラップ装置には以下に述べるものがある。
（１）  特許文献１に、筐体（ケース）と、この筐体に固定され内側に突出した固定軸と、この固定軸に内端を固定してなる発条と、この発条の外端を固定してその戻り付勢力により付勢巻取り回転するリールと、このリールに一方の端を固定して該リールに巻取られる細帯状の首に掛けるストラップを形成する巻取り紐と、この巻取り紐を外に引き出す筐体の引き出し口と、この引出し口の対向する側に設けられた首掛けループを形成するように巻取り紐の他の端を固定してなる巻取り紐固定部と、リールの外周部に設けられた４つの突起と、リールの上方に設けられたリールの外周の突起に当たってリールの付勢戻り回転を止める、スプリングにより付勢され且つ上方に可動可能に設けられた可動フックと、この可動フックを上方に移動して当たっている突起から離れさせるための筐体の外側に突出するように設けられたロック解除部（リリースボタン）と、筐体の部から下げられたループ細紐からなる携帯電話などを吊り下げるためのループ細紐（松葉）と、とからなる発明が開示されている。
（２）  特許文献２に、筐体と、この筐体に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状や丸紐状の首掛けループを形成してなる巻取り紐（帯紐）と、筐体の中央に設けられた、押すとロックが解除されて付勢巻取り状態となり離すとロックされてリールの回転が止められるようにしてなるロックボタン機構と、された筐体の部から下げられたループ細紐からなる携帯電話などを吊り下げるためのループ細紐（松葉）と、とからなる発明が開示されている。
（３）  特許文献３に次の２つの発明が開示されている。
｛１｝図８〜図１１には、発条により巻取り付勢状態とされた2つのリール（巻取りドラム）をロック・ロック解除するための機構として、指で抑えスライドさせるロック方向にバネ１０で常に押されているストッパー９が設けられ、このストッパー９の内側にはボス９ａ（突起）が設けられ、リール側にはボス９ａが嵌る嵌合溝６ｂが設けられ、通常はバネ１０で付勢押されてボス９ａが嵌合溝６ｂに嵌ってリールはロックされていて、ストッパー９に指を当てスライドさせるとボス９ａが嵌合溝６ｂ（４箇所）から外れてリールのロック状態は解除され、ストラップ（巻取り紐）の巻取りと引出しは自在に行える発明が開示されている。
｛２｝図１２には、カム１４（回動軸）を有する回動可能とされた操作レバー１３と、この操作レバー１３の倒しによりカム１４に押されて可動する押圧部材１２と、筐体などの一部からなる固定部材１１とからなり、押圧部材１２と固定部材１１の間に通したストラップ２（巻取り紐）を操作レバー１３の倒し操作によるカム１４の回動により押圧部材１２を可動せて、該１２と固定部材１２でストラップ２を挟持ロックする発明が開示されている。
（４）  特許文献４に、ケース１１・１２の中の中空軸１５にドラム２（リール）が回転可能に軸支されており、そのドラム２の外周には、そのベルト３（巻取り紐）が外部から引き出し可能に巻回され、ドラム２の内部には、そのベルト３の巻取バネ４を偏位して内装し、ドラム２の内周壁には第１係合凸部２１を４箇所突出形成する一方、第２係合凹部５１を４箇所周設する押しボタン５を、押し上げバネ６内設した中空軸１５に該６により弾圧的に軸支させ、その状態で第１係合凸部２１に押しボタン５の第２係合凹部５１が係合しており、押しボタン５を押し上げバネ６の弾圧に抗して押し下げることにより、押しボタン５の第２係合凹部５１と前記ドラムの第１係合凸部２１の係合が解除されロック解除状態となる発明が開示されている。
【０００３】
【特許文献１】特開２０００−７８０４８号公報（図８〜図１１）
【特許文献２】実用新案登録第３０７０７８９号公報
【特許文献３】特開平９−２９９１２８号公報
【特許文献４】特開２００２−１６５６２７号公報
【非特許文献１】特になし
【発明の開示】
【発明が解決しようとする課題】
【０００４】
（１）特許文献１の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝巻取り紐の他の端を固定した形態であるため、付勢巻取り装置の上下移動の度に首に掛っている部位が移動して、首の後ろで擦れてしまい、大変使用感が悪い。
｛３｝リールのロック形態がリールの４つの突起により行われるので、停止精度が悪く好みのところで自在にロックし止めることができない、停止箇所が限定されてしまう、微妙な止め位置の微調整ができない。
これは例えば、フック面ファスナを設けた携帯品振れ止め具を着衣の好みの場所に取り付け、ループ面ファスナを設けた携帯電話を面ファスナ同士の係着機能により係止保持する場合に、ネックストラップで首から下げた該携帯電話の携帯品振れ止め具への係止位置が、好みの最適の吊り位置となるように微妙な位置調節を行うことができないものである。
また例えば、ネックストラップで吊り下げた携帯電話を胸のポケットに収納する場合においては、ポケットの中に宙吊り状態にしたい、ポケットの底に到達させて且つ倒れないように吊り状態にするなどの、好みの微妙な位置調節ができないものである。
｛４｝リールの回転をロック・ロック解除機構が複雑で部品点数が多く、コストが高くなる。
｛５｝携帯電話を細い紐からなるループ細紐に取り付けてぶら下げるために、付勢巻取り装置とは関係なく携帯電話がクルクルと回ってしまう。
（２）特許文献２の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝「筐体の中央に設けられた、押すとロックが解除されて付勢巻取り状態となり離すとロックされてリールの回転が止められるようにしてなるロックボタン機構」との記載があるだけで、その具体的な構造は何ら記載されていないものであり、そのロック機構は単なる願望に過ぎないものである。
｛３｝携帯電話を細い紐からなるループ細紐に取り付けてぶら下げるために、付勢巻取り装置とは関係なく携帯電話がクルクルと回ってしまう。
（３）特許文献３の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝親指と人差し指で筐体を摘んで、その後で人差し指でストッパー９をスライドさせてロック解除を行うものであるために、操作性が悪く煩わしい、親指と人差し指の抑え部位がずれた状態で抑え止めた状態を維持したまま、筐体を上下に移動させて巻取り紐の巻取りと引き出し操作を行うので摘み抑え感が悪い。
｛３｝ストッパー９に設けたボス９ａのリールと一体で回転する４箇所のいずれかの嵌合溝６ｂへの嵌合・非嵌合によりロック、ロック解除がなされるものであり、停止精度が悪く好みのところで自在にロックし止めることができない、停止箇所が限定されてしまう、微妙な止め位置の微調整ができない。
｛４｝操作レバー１３の倒し操作によるカム１４の回動により押圧部材１２を可動させて、該１２と固定部材１２でストラップ２を挟持ロックするものは、一方の手で筐体を持ち、操作レバー１３を他方の手で倒す、親指と人差し指で操作レバー１３を摘み起こさなければならず、両手操作によらなければならず、片方の手のみでは操作ができ難いものである。
特に止め位置の微妙な調節は両手で行わなければならないものであった。
（４）特許文献４の発明は次のような欠点を有するものであった。
｛１｝肩掛けベルトなどのベルト３（巻取り紐）を全部を巻取る形態であるため、巻取り紐の長さが長くなり（量が多くなり）付勢巻取り装置（筐体）が大型になってしまう。
｛２｝押しボタン５の４箇所の第２係合凹部５１と、ドラム２（リール）の４箇所の第１係合凸部２１の嵌合・非嵌合でロック・ロック解除がなされる仕組みであるので、停止精度が悪く好みのところで自在にロックし止めることができない、停止箇所が限定されてしまう、微妙な止め位置の微調整ができない。
｛３｝押しボタン５を回転しないようにするために、ドラム２の内側にケース１２から立ち下げた回転防止ガイド１８が必要であり、押し上げバネ６を入れる中空軸１５は太くなるものであるから、その分全体の幅が広くなり大型になってしまう。
さらに、回転防止ガイド１８分の前後空間を増やさなければならない、その分巻取バネ４を後方に位置させなければない、巻取バネ４の中空軸１５への固定は該１５にスリットを設けて巻取バネ４の内端を挿入して行うため、巻取バネ４が中空軸１５に内側に入るために上げ底形態となって中空軸１５の押し上げバネ６の収納長さが足りなくなり、押し上げバネ６の十分な伸縮を得るためには中空軸１５を長くしなくてはならない、ことにより前後厚さが分厚いものになる。
すなわち幅広で分厚い付勢巻取り装置になってしまうものである。
【０００５】
本発明は以上のような従来技術の欠点に鑑みてなされたものであって、
本発明の第１の目的は、片手のみのワン摘み操作による煩わしさのない軽快な上下移動止め操作および微妙な位置決め調節操作を可能とするロック機構付き付勢巻取り装置を提供することを目的としている。
本発明の第２の目的は、片手のみのワン摘み操作による煩わしさのない軽快な上下移動止め操作および微妙な位置決め調節操作を可能とするとともに、首に掛けるネックストラップ形態において、リールに巻取る巻取り紐の巻取り量を少なくできるロック機構付き付勢巻取り装置を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
【課題を解決するための手段】
【０００７】
上記目的を達成するために本発明は次に述べるような構成となっている。
（請求項１記載の発明）
筐体、この筐体に設けられた発条、この発条により付勢巻取り回転する該筐体に内設されたリール、このリールに付勢巻取られた紐とからなる付勢巻取り装置本体と、
前記リールから引き出された前記紐を付勢力により常時付勢ロック状態としておくための付勢可動体と、
前記筐体と一体成型、一体成形、融着、溶着、接着などにより一体化されてなる、前記付勢可動体を支持する可動体支持部と、
前記付勢可動体の前記紐に当る可動側紐ロック部位とで前記紐を対峙挟み形態あるいはズレ挟み形態などの挟みロック状態とする、前記可動体支持部側に設けられた支持側紐ロック部位と、
前記付勢可動体を付勢状態とするための圧縮コイルバネ、ゴム製などの弾性部材あるいは他のスプリング部材などからなる付勢手段とからなり、
前記付勢可動体がフリー状態では紐はロック状態とされるとともに、該付勢可動体を指で押し込み可動させると前記か可動側紐ロック部位と前記支持側紐ロック部位が離れて前記紐の挟みロックが解除されたロック解除状態とされて、該紐が移動自在とされることを特徴とするロック機構付き付勢巻取り装置。
筐体、この筐体に設けられた発条、この発条により付勢巻取り回転する該筐体に内設されたリール（巻取りドラム）、このリールに巻取られた巻取り紐とからなる付勢巻取り装置本体と、前記筐体から引き出された前記巻取り紐を通す紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われるロック体とで付勢巻取り装置を構成している。
（請求項２記載の発明）
請求項１記載の発明の構成において、付勢巻取り装置本体とロック体が直接的にあるいは他の部材や部位を介して一体化されてなる付勢巻取り装置を構成している。
（請求項３記載の発明）
筐体と、筐体に設けられた発条と、この発条により付勢巻取り回転する該筐体に内設されたリールと、このリールに巻取られた巻取り紐と、この巻取り紐を前記筐体外に引き出す引出し口と、この引出し口と前記リールの間に設けられた前記筐体と一体の摘み抑え込みロック解除部支持案内部と、この摘み抑え込みロック解除部支持案内部の前方ないし後方に開口された摘み抑え込みロック解除部突出口と、前記摘み抑え込みロック解除部支持案内部に可動するように収められその一部を前記摘み抑え込みロック解除部突出口から外に突出させてなる摘み抑え込みロック解除部と、前記摘み抑え込みロック解除部を外側に常に押し出し付勢する付勢手段と、前記摘み抑え込みロック解除部に設けられた、通された前記巻取り紐を前記引出し口などの前記筐体側ロック部位とで付勢挟持ロックするロック部と、からなり、親指と他の指で前記筐体と前記摘み抑え込みロック解除部を摘み該摘み抑え込みロック解除部を押込み移動させて前記巻取り紐の付勢挟持ロックを解除し、指を離すと前記付勢手段により前記ロック部と前記筐体側ロック部位とによる前記巻取り紐の付勢挟持ロックが自動的に行われるようにしてなる付勢巻取り装置を構成している。
（請求項４記載の発明）
筐体と、この筐体に設けられた発条と、この発条により付勢巻取り回転するリールと、このリールに巻取られた巻取り紐と、前記筐体の前部あるいは後部に指当て部位を位置させ、且つ、前記指当て部位から延長された形態で形成された抑え嘴部位を前記筐体の外側に位置させて、前記筐体から引き出された前記巻取り紐を前記筐体の外で前記抑え嘴部位で抑え挟持するクリップ形態の摘み抑え込みロック解除部とで付勢巻取り装置を構成している。
（請求項５記載の発明）
筐体と、この筐体に設けられた発条と、この発条により付勢巻取り回転するリールと、このリールに巻取られた巻取り紐と、前記筐体の前部にあけられた開口部と、この開口部に差し込まれて前記リールに当たり抑えて回転しないように付勢摩擦ブレーキ形態でロックするように機能する抑え嘴部位、前記抑え嘴部位を有してなる指当て部位、この指当て部位を前記筐体の前部あるいは後部に位置させてなるクリップ形態の摘み抑え込みロック解除部とで付勢巻取り装置を構成している。
（請求項６記載の発明）
筐体と、この筐体に設けられた発条と、この発条により付勢巻取り回転する前鍔および後鍔により形成された紐巻取り溝を有するリールと、このリールに巻取られた巻取り紐と、前記筐体の前部あるいは後部の前記リールから外れる部位に形成された摘み抑え込みロック解除部通し穴と、この摘み抑え込みロック解除部し通し穴に向かうように前記筐体の内側に固定された案内軸と、この案内軸に設けられた押し出し付勢手段と、前記案内軸に案内され移動可能に設けられた、その適宜な部位を前記リールの前記紐巻取り溝を形成する前記前鍔あるいは前記後ろ鍔に前記押し出し付勢手段の押し出し付勢力により当たって該リールを付勢摩擦ブレーキ形態でロックするリール当接ロック部を有する可動体と、この可動体に設けられた前記摘み抑え込みロック解除部通し穴から外側に突出された前記筐体ごと指で摘み持って押し込むことにより前記リールに当っている前記リール当接ロック部を該リールから離してロック解除状態とするための摘み抑え込みロック解除部とで付勢巻取り装置を構成している。
（請求項７記載の発明）
請求項１〜６いずれか記載の発明の構成において、第1の巻取り紐を巻取る第1のリール、第２の巻取り紐を巻取る第2のリールが設けられ、2つの摘み抑え込みロック解除部を連結して同時に動作させる、引き出された前記第1、第2の巻取り紐を外部に設けた二つの紐通し部と一つの摘み抑え込みロック解除部を有するロック体で同時にロック・ロック解除するようにするなどにより、ロックおよびロック解除が同時に行われるようにしてなる付勢巻取り装置を構成している。
（請求項８記載の発明）
請求項６記載の発明の構成において、筐体内に第1の巻取り紐を巻取る第1のリール、第２の巻取り紐を巻取る第2のリールを設け、摘み抑え込みロック解除部通し穴、案内軸、押し出し付勢手段、リール当接ロック部、可動体、摘み抑え込みロック解除部が前記第1のリールと前記第2のリールの間に設けられ、前記リール当接ロック部が前記第1のリールと前記第2のリールの前鍔あるいは後ろ鍔のいずれかに同時に当接して、ブレーキ形態でロックし同時に離れてロック解除するようにしてなる付勢巻取り装置を構成している。
（請求項９記載の発明）
請求項１〜８いずれか記載の発明の構成において、筐体の下部にプレートを形成し、前記プレートに面ファスナのフック側を形成し、前記筐体の一部ないし全部と前記プレートと、前記面ファスナのフック側とロック機構の一部を一体成形により1部品形態で形成してなる付勢巻取り装置を構成している。
（請求項１０記載の発明）
付勢巻取り装置が請求項１〜６いずれか記載の付勢巻取り装置であって、前記付勢巻取り装置から引き出された巻取り紐に略３５ｃｍ〜略６０ｃｍの長さの首掛け紐部材を設け、この首掛け紐部位の端方に着衣に係止するためのクリップや安全ピンなどの着衣係止手段を設け、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成している。
（請求項１１記載の発明）
付勢巻取り装置がリールを二つ設けてなるあるいは2本の巻取り紐が引き出せる形態の請求項１〜９いずれか記載の付勢巻取り装置であり、略２５ｃｍ〜略５０ｃｍの首掛け紐部材の一方の端を前記巻取り紐の一方と繋ぎ、前記首掛け紐部材の他方の端を前記巻取り紐の他方と繋ぎ、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成している。
（請求項１２記載の発明）
請求項１０、１１いずれか記載の発明の構成において、付勢巻取り装置の下方に携帯電話等の携帯品を取り付ける、前記携帯品が前記付勢巻取り装置と別体状態で回り裏返ないように、間隔をあけた2本の吊り紐や、プレートや、帯体、プレート型フック、連結部位付きプレート、連結部位付き針金体、面ファスナを設けたプレートなどの携帯品取付け部を設けてなる付勢巻取り式ネックストラップ装置を構成している。
（請求項１３記載の発明）
発条により巻取り付勢されたリール、このリールに付勢巻き取られる巻取り紐、この巻取り紐の引き出し引き込みをロックするロック部、指で摘み押し圧操作することにより前記ロック部のロック状態をロック解除状態とする摘み抑えロック解除部とを有する付勢巻取り装置と、
端方に前記巻き取り紐を取り付けてなる首に掛ける形態に形成され該形態が崩れないような部材によりなる首掛け部体と、とからなり、
前記ロック解除状態において前記摘み抑えロック解除部を抑える指を緩めると付勢力により前記ロック部が自動的にロック状態になる付勢巻取り式ネックストラップ装置を構成している。
（請求項１４記載の発明）
請求項１３記載の付勢巻取り式ネックストラップ装置の構成において、付勢巻取り装置が請求項１〜９いずれか記載の付勢巻取り装置である付勢巻取り式ネックストラップ装置を構成している。
【発明の効果】
【０００８】
以上の説明から明らかなように、本発明にあっては次に列挙する効果が得られる。
（請求項１記載の発明の効果）
筐体、この筐体に設けられた発条、この発条により付勢巻取り回転する該筐体に内設されたリール（巻取りドラム）、このリールに巻取られた巻取り紐とからなる付勢巻取り装置本体と、前記筐体から引き出された前記巻取り紐を通す紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われるロック体とで付勢巻取り装置を構成しているので、
摘み抑え込みロック解除部の後部側に親指を添え前部側に
人差し指を添え摘み挟持して、摘み抑え込みロック解除部を押し込むとロック解除となって自在に巻取り紐の付勢巻取りと引き出しが自在行え、摘み抑え込みロック解除部を抑える指を緩めた位置で自動的にロック状態となるので、好みのどの部位でも巻取り紐の挟持ロックを行い、停止箇所の限定されない微妙な止め位置決めが簡単に行えるという効果を奏する。
これは例えば、フック面ファスナを設けた携帯品振れ止め具を着衣の好みの場所に取り付け、ループ面ファスナを設けた携帯電話を面ファスナ同士の係着機能により係止保持する場合に、ネックストラップで首から下げた該携帯電話の携帯品振れ止め具への係止位置が、好みの最適の吊り位置となるように微妙な位置調節を行うことができるものである。
また例えば、ネックストラップで吊り下げた携帯電話を胸のポケットに収納する場合においては、ポケットの中に宙吊り状態にしたい、ポケットの底に到達させて且つ倒れないように吊り状態にするなどの、好みの微妙な位置調節ができるものである。
（請求項２記載の発明の効果）
請求項１記載の発明の構成において、付勢巻取り装置本体とロック体が直接的にあるいは他の部材や部位を介して一体化されてなる付勢巻取り装置を構成しているので、
請求項１記載の発明の効果に加えて、付勢巻取り装置本体とロック体が常に同じ向きで常に真っ直ぐ状態にあるので、摘みロック解除を維持したままでの上下移動操作が違和感無く軽快に行えるという効果を奏する。
（請求項３記載の発明の効果）
筐体と、この筐体に設けられた発条と、この発条により付勢巻取り回転する該筐体に内設されたリールと、このリールに巻取られた巻取り紐と、この巻取り紐を前記筐体外に引き出す引出し口と、この引出し口と前記リールの間に設けられた前記筐体と一体の摘み抑え込みロック解除部支持案内部と、この摘み抑え込みロック解除部支持案内部の前方ないし後方に開口された摘み抑え込みロック解除部突出口と、前記摘み抑え込みロック解除部支持案内部に可動するように収められその一部を前記摘み抑え込みロック解除部突出口から外に突出させてなる摘み抑え込みロック解除部と、前記摘み抑え込みロック解除部を外側に常に押し出し付勢する付勢手段と、前記摘み抑え込みロック解除部に設けられた、通された前記巻取り紐を前記引出し口などの前記筐体側ロック部位とで付勢挟持ロックするロック部と、からなり、親指と他の指で前記筐体と前記摘み抑え込みロック解除部を摘み該摘み抑え込みロック解除部を押込み移動させて前記巻取り紐の付勢挟持ロックを解除し、指を離すと前記付勢手段により前記ロック部と前記筐体側ロック部位とによる前記巻取り紐の付勢挟持ロックが自動的に行われるようにしてなる付勢巻取り装置を構成しているので、
摘み抑え込みロック解除部を筐体ごと親指と人差し指で摘み、そのままの摘み位置で押し込み・緩め解放操作を行うことができ、自在に巻取り紐を好みの位置でロックすることができ、このような構成としても請求項１記載の発明と同様な効果を奏する。
（請求項４記載の発明の効果）
筐体と、この筐体に設けられた発条と、この発条により付勢巻取り回転するリールと、このリールに巻取られた巻取り紐と、前記筐体の前部あるいは後部に指当て部位を位置させ、且つ、前記指当て部位から延長された形態で形成された抑え嘴部位を前記筐体の外側に位置させて、前記筐体から引き出された前記巻取り紐を前記筐体の外で前記抑え嘴部位で抑え挟持するクリップ形態の摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、自在に巻取り紐を好みの位置でロックすることができ、このような構成としても請求項１記載の発明と同様な効果を奏する。
（請求項５記載の発明の効果）
筐体と、この筐体に設けられた発条と、この発条により付勢巻取り回転するリールと、このリールに巻取られた巻取り紐と、前記筐体の前部にあけられた開口部と、この開口部に差し込まれて前記リールに当たり抑えて回転しないように付勢摩擦ブレーキ形態でロックするように機能する抑え嘴部位、前記抑え嘴部位を有してなる指当て部位、この指当て部位を前記筐体の前部あるいは後部に位置させてなるクリップ形態の摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、リールを好みの位置で自在に止めることができ、このような構成としても前記請求項１記載の発明と同様な効果を奏する。
（請求項６記載の発明の効果）
筐体と、この筐体に設けられた発条と、この発条により付勢巻取り回転する前鍔および後鍔により形成された紐巻取り溝を有するリールと、このリールに巻取られた巻取り紐と、前記筐体の前部あるいは後部の前記リールから外れる部位に形成された摘み抑え込みロック解除部通し穴と、この摘み抑え込みロック解除部し通し穴に向かうように前記筐体の内側に固定された案内軸と、この案内軸に設けられた押し出し付勢手段と、前記案内軸に案内され移動可能に設けられた、その適宜な部位を前記リールの前記紐巻取り溝を形成する前記前鍔あるいは前記後ろ鍔に前記押し出し付勢手段の押し出し付勢力により当たって該リールを付勢摩擦ブレーキ形態でロックするリール当接ロック部を有する可動体と、この可動体に設けられた前記摘み抑え込みロック解除部通し穴から外側に突出された前記筐体ごと指で摘み持って押し込むことにより前記リールに当っている前記リール当接ロック部を該リールから離してロック解除状態とするための摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、リールを好みの位置で自在に止めることができ、このような構成としても前記請求項１記載の発明と同様な効果を奏する。
（請求項７記載の発明の効果）
請求項１〜６いずれか記載の発明の構成において、第1の巻取り紐を巻取る第1のリール、第２の巻取り紐を巻取る第2のリールが設けられ、2つの摘み抑え込みロック解除部を連結して同時に動作させる、引き出された前記第1、第2の巻取り紐を外部に設けた二つの紐通し部と一つの摘み抑え込みロック解除部を有するロック体で同時にロック・ロック解除するようにするなどにより、ロックおよびロック解除が同時に行われるようにしてなる付勢巻取り装置を構成しているので、
請求項１〜６いずれか記載の発明の効果に加えて、引き出された第１の巻取り紐と第１の巻取り紐を繋ぐ形態で首かけ帯紐を設ける、第１の巻取り紐と第２の巻取り紐を１本の紐体で構成することにより、首掛けループを形成して首に掛けて片手で自由自在に軽快に上下移動操作ができ、好みの位置に止め係留させることが素早く軽快に行え、微妙な位置調節が片手のみで簡単に行えるネックストラップを実現するという効果を奏する。
（請求項８記載の発明の効果）
請求項６記載の発明の構成において、筐体内に第1の巻取り紐を巻取る第1のリール、第２の巻取り紐を巻取る第2のリールを設け、摘み抑え込みロック解除部通し穴、案内軸、押し出し付勢手段、リール当接ロック部、可動体、摘み抑え込みロック解除部が前記第1のリールと前記第2のリールの間に設けられ、前記リール当接ロック部が前記第1のリールと前記第2のリールの前鍔あるいは後ろ鍔のいずれかに同時に当接して、ブレーキ形態でロックし同時に離れてロック解除するようにしてなる付勢巻取り装置を構成しているので、
このような構成としても前記請求項７記載の発明の効果と同様な効果を奏することができる。
（請求項９記載の発明の効果）
請求項１〜８いずれか記載の発明の構成において、筐体の下部にプレートを形成し、前記プレートに面ファスナのフック側を形成し、前記筐体の一部ないし全部と前記プレートと、前記面ファスナのフック側とロック機構の一部を一体成形により1部品形態で形成してなる付勢巻取り装置を構成しているので、
請求項１〜８いずれか記載の発明の効果と同様な効果を奏するとともに、構成部品の多くを一体成形により形成したので、大幅なコスト低減を図ることができるという効果を奏する。
（請求項１０記載の発明の効果）
付勢巻取り装置が請求項１〜６いずれか記載の付勢巻取り装置であって、前記付勢巻取り装置から引き出された巻と取り紐に略３５ｃｍ〜略６０ｃｍの長さの首掛け紐部材を設け、この首掛け紐部位の端方に着衣に係止するためのクリップや安全ピンなどの着衣係止手段を設け、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成しているので、
例えば、着衣係止手段を胸ポケットと反対側の前立て部位などに止め、首掛け紐部材を首の後ろ側を廻して胸ポケット側に垂らすことにより、携帯電話やＩＤカードケースなどの携帯品を胸ポケット側に吊垂らすことができ、且つ、その状態から片手で摘んで摘み抑え込みロック解除部を押し込んで携帯品を上下・前後に自在に移動させ、好みの位置で止め係留することが自在にでき、微妙な位置調節も簡単容易に行えるという効果を奏する。この状態では、１本紐によりポケット側によった携帯品の吊り下げが行われるので、胸ポケットに携帯品を略垂直な状態である携帯スタイルのよい状態で、その収納位置を好みの位置にして収納することができるという効果を奏する。当然、片手のみで腕を略延ばしきって翳す、腕を延ばしきった状態でロックして、携帯電話を手に持って撮影、ボタン操作などが行えるという効果を奏する。
（請求項１１記載の発明の効果）
付勢巻取り装置がリールを二つ設けてなるあるいは2本の巻取り紐が引き出せる形態の請求項１〜９いずれか記載の付勢巻取り装置であり、略２５ｃｍ〜略５０ｃｍの首掛け紐部材の一方の端を前記巻取り紐の一方と繋ぎ、前記首掛け紐部材の他方の端を前記巻取り紐の他方と繋ぎ、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成しているので、
前記請求項７記載の発明と同様な効果を奏する。
（請求項１２記載の発明の効果）
請求項１０、１１いずれか記載の発明の構成において、付勢巻取り装置の下方に携帯電話等の携帯品を取り付ける、前記携帯品が前記付勢巻取り装置と別体状態で回り裏返ないように、間隔をあけた2本の吊り紐や、プレートや、帯体、プレート型フック、連結部位付きプレート、連結部位付き針金体、面ファスナを設けたプレートなどの携帯品取付け部を設けてなる付勢巻取り式ネックストラップ装置を構成しているので、
請求項１０、１１いずれか記載の発明の構成に加えて、首から吊り下げた携帯電話機が回って裏返ったりすることが起こり難くできるという効果を奏する。
（請求項１３記載の発明の効果）
発条により巻取り付勢されたリール、このリールに付勢巻き取られる巻取り紐、この巻取り紐の引き出し引き込みをロックするロック部、指で摘み押し圧操作することにより前記ロック部のロック状態をロック解除状態とする摘み抑えロック解除部とを有する付勢巻取り装置と、
端方に前記巻き取り紐を取り付けてなる首に掛ける形態に形成され該形態が崩れないような部材によりなる首掛け部体と、とからなり、
前記ロック解除状態において前記摘み抑えロック解除部を抑える指を緩めると付勢力により前記ロック部が自動的にロック状態になる付勢巻取り式ネックストラップ装置を構成しているので、
着衣に係止することなく首に掛け使用するものであるので、着衣を選ばずに使用することができるという効果を奏する。
首の片側から携帯品を下げ操作することができ、とくに胸ポケットに携帯品を入れ保持する場合に、巻取り紐の下がりが一本であり且つ胸ポケット側に下げることができるので、下がり具合がポケット側となって見た目も操作性も良いという効果を奏する。
「指で摘み押し圧操作することにより前記ロック部のロック状態をロック解除状態とし、前記ロック解除状態において前記摘み抑えロック解除部を抑える指を緩めると付勢力により前記ロック部が自動的にロック状態する摘み抑えロック解除部」を設けているので、スムーズな移動および好みの位置での停止・係留が片手のみで軽快に行え、微妙な位置調節も容易に行えるという効果を奏する。
（請求項１４記載の発明の効果）
請求項１３記載の付勢巻取り式ネックストラップ装置の構成において、付勢巻取り装置が請求項１〜９いずれか記載の付勢巻取り装置である付勢巻取り式ネックストラップ装置を構成しているので、前記請求項１３記載の発明と同様な効果を奏することができる。
【発明を実施するための最良の形態】
【０００９】
以下、図面に示す発明を実施するための最良の形態により、本発明を詳細に説明する。但し、発明をそれらにのみに限定するものではない。
【００１０】
＜第１の実施の形態＞
図１ないし図２に示す本発明を実施するための最良の第１の実施の形態において１は付勢巻取り式ネックストラップ装置であって、この付勢巻取り式ネックストラップ装置１は、プレート２の表面に該２と一体化された付勢巻取り装置３と、該３の下方ペースプレート２の表面に設けられたフック面ファスナ４（携帯品着脱保持手段）と付勢巻取り装置３から左右に引き出された巻取り紐１３、１４を連結するように設けられた、該１３、１４とともに首掛けループ１２を形成する首掛け帯紐６とからなっている。
巻取り紐１３、１４と首掛け帯紐６（平紐）は嵌合形態の着脱パーツ２２により連結され、略２ｋｇの引張り強さで分離する。着脱パーツ２２は繰り返し嵌合連結と分離が行える。
付勢巻取り装置３は、
横長の前プレート９、該９と同形状の後プレート１０とからなる筐体１１、前プレート９と後プレート１０の中央に固定された軸（図示せず）、この軸に内側端を固定された発条（図示せず）、この発条を内設するような形態で該発条の外端を固定してなる該発条で回転付勢されてなるリール（図示せず）、このリールに左側から巻き取られた巻取り紐１３、リールに右側から巻き取られた巻取り紐１４、筐体１１の左側に回転自在に設けられた巻取り紐１３を案内する案内コロ１５、筐体１１の右側に回転自在に設けられた巻取り紐１４を案内する案内コロ１６とからなる付勢巻取り装置本体１７と、
筐体１１の上方に設けられた、巻取り紐１３、１４を案内する案内コロ１８、１９からなる巻取り紐案内部２０と、
この巻取り紐案内部２０の上部に設けられた、巻取り紐１３、１４を通し且つその移動をロックしたりロック解除したりするロック体２１と、
とからなっている。
巻取り紐１３のリール（図示せず）への巻取りは巻取り紐１４とは逆巻きになっている。
ロック体２１は、
上部開口の円容器形態の外駒３５と、この外駒３５内に可動可能に設けられたヘッド３６、このヘッド３６の内側中央に可動方向に向いて設けられた付勢手段入り部３７を有する支柱３８、この支柱３８の後部に円盤形態で設けられた、通された巻取り紐１３、１４を挟持するための挟持板３９とからなる摘み抑え込みロック解除部４０と、付勢手段入り部３７に収納されて摘み抑え込みロック解除部４０を常に付勢状態とする圧縮コイルバネなどの押し出し付勢手段４１と、外駒３５を貫抜くように側壁に形成された巻取り紐１３、１４を通すための外駒紐通し孔４２、４２と、外駒紐通し孔４２、４２の間に形成された分離部４３、４３とからなり、外駒紐通し孔４２、４２に通された巻取り紐１３、１４が、摘み抑え込みロック解除部４０がフリーの状態では摘み抑え込みロック解除部４０が押し出し付勢手段４１により押されて巻取り紐１３、１４を外駒３５の外駒紐通し孔４２、４２と可動駒１１の挟持板３９とで挟持ロックしてロックして係留状態とし、摘み抑え込みロック解除部４０をロック体２１を摘んだ指で押し込むとロック状態が解除されて、自由自在に移動させることができ、指での押し込みを止めると好みの位置に止め係留させることができ、且つ、微妙な位置調節が簡単自在に行うことができる。
ロック体は一形態例であって、他に摘み抑え込みロック解除部が伏せ椀形態でそれに紐通し穴を設けてなる形態などがある、
４箇所の掛け穴５は、携帯電話Ｋに取り付けた開閉環８を有する細紐ループ取付け部材７の開閉環８を掛けて、ループ面ファスナ２３を裏面に設けた携帯電話Ｋの落下を防止するためのものである。
腕を素早く略延ばしきっての携帯電話の操作、付勢巻き戻し動作により素早く首に近い位置に上げ止めて振れの小さい携行を実現する。
また、どの位置においても吊紐の垂れ下がりの生じない携行を実現する。
携帯品着脱保持手段は、面ファスナだけにとどまらず、他に磁石、フックないしフック掛け、携帯品収納ケースなどがある。
【００１１】
（発明を実施するための異なる形態）
次に、本発明を実施するための異なる形態について説明する。なお、これら本発明を実施するための異なる形態の説明に当って、本発明を実施するための最良の第１の実施の形態と同一構成部分には同一符号を付して重複する説明を省略する。
【００１２】
＜第２の実施の形態＞
図３に示す本発明を実施するための最良の第２の実施の形態において前記第１の実施の形態と主に異なる点は、携帯品着脱保持手段を２箇所のフック５０、５１としてなる付勢巻取り式ネックストラップ装置５３を形成した点にある。
携帯電話Ｋにはフック５０、５１に掛ける細棒からなるフック掛け５４、５５を設けている。
【００１３】
＜第３の実施の形態＞
図４に示す本発明を実施するための最良の第３の実施の形態において前記第１の実施の形態と主に異なる点は、付勢巻取り装置を発条（図示せず）、この発条に付勢巻取り回転状態とされたリール（図示せず）、このリールに巻き取られる巻取り紐５８、これらを内設してなる筐体５７とからなる付勢巻取り装置本体５９、６０とし、付勢巻取り装置本体５９、６０から引き出された巻取り紐５８、５８を他のものを介さずロック体２１に通し、プレート２の下部にフック面ファスナ６１を有する吊バンド６２を設け、プレート２の背部面にフック面ファスナ６１を係着するループ面ファスナ６３を設けてなる付勢巻取り式ネックストラップ装６４を形成した点にある。
携帯電話Ｋには吊バンド６２を通すバン細棒部材からなるバンド通し掛り部６５が設けられている。
ロック体２１、巻取り紐案内部２０、付勢巻取り装置本体５９、６０とで付勢巻取り装置５６を形成している。
【００１４】
＜第４の実施の形態＞
図５に示す本発明を実施するための最良の第４の実施の形態において前記第１の実施の形態と主に異なる点は、付勢巻取り装置本体１７に変えて付勢巻取り装置本体５９、６０を設け、プレート２の付勢巻取り装置本体５９，６０の下方部位に立ち下げられた携帯品取付け部６８を設け、この携帯品取付け部６８の左右側部の上下に係止凹部６９、６９，６９，６９を設け、携帯品取付け部６８の裏面にフック面ファスナ４を設けてなる付勢巻取り式ネックストラップ装置７０を形成した点にある。
携帯電話Kの裏側には係止凹部６９、６９，６９，６９の下縁が填まる下か上に向かう填り溝を有する係止部７１，７１，７１，７１が最初から設けられていたり、後で粘着剤により接着したりして設けられている。
係止凹部６９、６９，６９，６９に携帯品側係止部７１，７１，７１，７１を入れプレート２を上方に移動ないし携帯電話Kを下方に移動させて携帯品側係止部７１，７１，７１，７１の填り溝に係止凹部６９、６９，６９，６９の下縁を填め込み、プレート２に携帯電話Kを装着する。
係止凹部６９、６９，６９，６９から携帯品側係止部７１，７１，７１，７１が携帯電話Kの上下振れ動作や、携帯電話Kを手に持っての操作動作などでは抜けないように、軽摩擦填り形態、一方の側の前部や背部や側部に微小凹部を設け、その凹みに填る微小凸部を設けるなどするのがよい。
【００１５】
＜第５の実施の形態＞
図６に示す本発明を実施するための最良の第５の実施の形態において前記第１の実施の形態と主に異なる点は、付勢巻取り装置本体１７に変えて二本の平紐からなる巻取り紐７３、７３を同一口から引き出してなる付勢巻取り装置本体７４を設け、プレート２の付勢巻取り装置本体７４の下方部位に立ち下げられた携帯品取付け部６８を設け、この携帯品取付け部６８の左右側部の上下に係止凹部６９、６９，６９，６９を設け、携帯品取付け部６８の裏面にフック面ファスナ４を設けてなる付勢巻取り式ネックストラップ装置７５を形成した点にある。
巻取り紐７３、７３は重なってリールに付勢巻き取られている。
【００１６】
＜第６の実施の形態＞
図７に示す本発明を実施するための最良の第６の実施の形態において前記第１の実施の形態と主に異なる点は、付勢巻取り装置本体を付勢巻取り装置本体５９、６０とし、巻取り紐５８、５８をロックするロック体をロック体７７とした付勢巻取り式ネックストラップ装置７８を形成した点にある。
ロック体７７はプレート２に間隔をあけて立設された支柱７９ａ、７９ｂと、この支柱７９ａ、７９ｂに可動可能に孔を有する下部プレート８０を通してなる四角中空形態で上部プレート８１を指当て部位としてなる可動体８２と、支柱７９ａ、７９ｂの上部を渡らせるように固定され且つ可動体８２の内側に位置されるように設けられた挟持部８３と、支柱７９ａ、７９ｂにセットされ可動体８２とプレート２の間に位置されて可動体８２を押し付勢する圧縮コイルバネ８４ａ、８４ｂとからなっている。
巻取り紐５８、５８は、圧縮コイルバネ８４ａ、８４ｂの押し付勢力により挟持部８３と下部プレート８０で挟持ロック状態とされ、指で摘み可動体８２を押し移動（沈ませる）させると、挟持部８３から下部プレート８０が離れ移動してロック状態が解除され、指で抑えたまま携帯品Ｋの移動を自在に行うことができ、指を緩めたところで、ロック状態とされその位置に停止される。また、可動体８２を指で押したまま微妙な位置調節が容易に行える。
【００１７】
＜第７の実施の形態＞
図８、図９、図１０に示す本発明を実施するための最良の第７の実施の形態において（ａ）（ｂ）の８６は付勢巻取り式ネックストラップ装置であって、この付勢巻取り式ネックストラップ装置８６はベースプレート８７と、このベースプレート８７の最上部に設けられた一つ紐通し穴形態のロック体８８と、このロック体８８の下部でベースプレート８７に設けられた付勢巻取り装置本体５９と、ベースプレート８７の最下部に設けられた携帯品着脱保持部（面ファスナ、磁石、フック、ケースなど）であるカードケース８９と、ロック体８８から引き出された巻取り紐５８のと連結された首に掛ける帯紐からなる首掛け紐部９０と、この首掛け紐部９０の先端に設けられた着衣を係止するためのクリップ９１と、首掛け紐部９０と巻取り紐５８を着脱自在形態で連結してなる着脱パーツ２２とからなっている。
ベースプレート８７、ロック体８８、付勢巻取り装置本体５９で付勢巻取り装置９２を形成している。
ベースプレート８７、
図9に示すようにロック体８８は円形容器形態の紐通し穴９３を上下に貫通させてなる外駒９４と、この外駒９４に可動可能に一部を収納した紐通し穴９５を上下に貫通させてなる伏せ容器形態の内駒である摘み抑え込みロック解除部９６と、この摘み抑え込みロック解除部９６に収納された圧縮コイルバネ９７とからなっていて、紐通し穴９３と紐通し穴９５に通された巻取り紐５８を解放状態では紐通し穴９３と紐通し穴９５で挟持ロック（上図）し、摘み抑え込みロック解除部９６を指で摘み押し込むと挟持ロック解除（下図）となり、指を緩め・離すと圧縮コイルバネ９７の押し付勢力により自動的に摘み抑え込みロック解除部９６は押し出し動作となり、紐通し穴９３と紐通し穴９５で巻取り紐５８は付勢挟持ロック状態となる。
ベースプレート８７、付勢巻取り装置本体５９の筐体の一部、外駒９５・摘み抑え込みロック解除部９６のいずれか、カードケース８９の前面壁・背面壁のいずれかあるいは両方を一体成形により形成してなるものが、大幅なコスト低減をできるのでよい。
図１０に示すように、付勢巻取り式ネックストラップ装置８６は、首掛け紐部９０を首に掛け、クリップ９１で着衣の前立て部位などを係止し、首の片側にカードケース８９を吊り下げて携行する。
【００１８】
図９の（ｃ）は付勢巻取り式ネックストラップ装置８６の変形であって、付勢巻取り装置本体５９の半分ほどにカードケース８９の上部を固定し、巻取り紐５８にロック体８８が取り付けられてなる付勢巻取り式ネックストラップ装置９９を形成した点にある。
付勢巻取り装置本体５９とロック体８８で付勢巻取り装置１００を構成している。
【００１９】
＜第８の実施の形態＞
図１１に示す本発明を実施するための最良の第８の実施の形態において前記第１の実施の形態と主に異なる点は、着脱パーツ２２にカードケース８９を設けた付勢巻取り装置９２を吊り下げた点にある。
より具体的には、着脱パーツの雄パーツ１０３を首掛け帯紐６に取付け、雄パーツ１０３には帯紐を通す紐通し部１０４があり、この紐通し部１０４に付勢巻取り装置９２側のループ形態の細吊り紐１０６を通し掛けて該９２を吊り下げている。
付勢巻取り装置９２の巻き取り紐の先端には着脱パーツ１０７が取り付けられ、着脱パーツ１０７には細吊り紐１０６が設けられている。紐通し部１０４に細吊り紐１０６を通し掛けるには、着脱パーツ１０７を切り離して行う。
【００２０】
＜第９の実施の形態＞
図１２に示す本発明を実施するための最良の第９の実施の形態において前記第７の実施の形態と主に異なる点は、付勢巻取り装置を下部面にフック面ファスナ４を設けたプレート２と、このプレート２の上部に設けた付勢巻取り装置本体５９と、この付勢巻取り装置本体５９の前部に設けたクリップ形態のロック体１０８と、このロック体１０８の摘み抑え込みロック解除部１０９と、この摘み抑え込みロック解除部１０９のロック嘴である付勢巻取り装置本体５９の外側上方で巻取り紐５８を挟持ロックする抑え嘴部位１１０と、プレート２に固定されて抑え嘴部位１１０を填め込む凹形態をした巻取り紐５８を通してなる受け挟持部１１１とからなる付勢巻取り装置１１２とした付勢巻取り式ネックストラップ装置１１３を形成した点にある。
摘み抑え込みロック解除部１０９を最大に抑え込んでも、抑え嘴部位１１０が受け挟持部１１１内にあって、巻取り紐５８が外れることがないようになっている。
ロック解除部１０９の指当て部１１４は指納まりが良いように縁凸形態となっている。
【００２１】
＜第１０の実施の形態＞
図１３に示す本発明を実施するための最良の第１０の実施の形態において前記第９の実施の形態と主に異なる点は、付勢巻取り装置１１２と同じ構造の付勢巻取り装置１１２ａ、付勢巻取り装置１１２ｂを横並びで設け、摘み抑え込みロック解除部１０９を連結部１１６で連結し、連結部１１６の中央に指当て部１１４を設けて、同時にロックとロック解除動作が行われるようにした付勢巻取り式ネックストラップ装置１１７を形成した点にある。
首掛け帯紐６は首掛けループ１２を形成する。
【００２２】
＜第１１の実施の形態＞
図１４に示す本発明を実施するための最良の第１１の実施の形態において前記第１の実施の形態と主に異なる点は、ロック体を第９の実施の形態のロック体１０８としてなる付勢巻取り式ネックストラップ装置１２０を形成した点にある。
ロック体１０８、付勢巻取り装置本体１７、巻取り紐案内部２０で付勢巻取り装置１２１を形成している。
ロック体１０８は巻取り紐案内部２０上に軸支されている。
【００２３】
＜第１２の実施の形態＞
図１５、図１６に示す本発明を実施するための最良の第１２の実施の形態において１２４は付勢巻取り式ネックストラップ装置であって、この付勢巻取り式ネックストラップ装置１２４は付勢巻取り装置１２５と、この付勢巻取り装置１２５の下方に立ち下げられたプレート２と、このプレート２の表面に設けられたフック面ファスナ４と、付勢巻取り装置１２５から引き出された巻取り紐５８に繋がれた首掛け紐部９０と、この首掛け紐９０の先端に取り付けられたクリップ９１（省略）とからなっている。
付勢巻取り装置１２５は、
筐体５７、この筐体５７内に固定軸１３２に内端を固定して設けられた発条１３４、この発条１３４により付勢巻取り回転するリール１２６と、このリール１２６に巻取られた巻取り紐５８、筐体５７の前部上方にあけられた開口部１２７とからなる付勢巻取り装置本体１２８と、
開口部１２７に付勢差し込まれてリール１２６に当たり抑えて回転しないように付勢摩擦ブレーキ形態で該１２６をロックする抑え嘴部位１１０を有し、指当て部位１１４を筐体５７上に位置させてなる摘み抑え込みロック解除部１０９を有してなるクリップ形態のロック体１２９と、とからなっている。
付勢巻取り装置１２５を指で摘み持って、摘み抑え込みロック解除部１０９を抑え込むと、抑え嘴部位１１０は当接しているリール１２６から離れて、リール１２６は回転自由の状態となって、巻取り紐５８を引き出したり付勢回転引き戻しを行うことが自在に行え、摘み抑え込みロック解除部１０９の指を離すと付勢手段１３０の閉め付勢力により抑え嘴部位１１０は自動的にリール１２６に付勢当接してブレーキを聞かせてリール１２６の回転をロックし、その位置に停止係留させる。
【００２４】
＜第１３の実施の形態＞
図１７に示す本発明を実施するための最良の第１３の実施の形態において前記第１２の実施の形態と主に異なる点は、付勢巻取り装置１２５と同じ構造の付勢巻取り装置１２５ａ、付勢巻取り装置１２５ｂを横並びで設け、摘み抑え込みロック解除部１０９を連結部１１６で連結し、連結部１１６の中央に指当て部１１４を設けて、同時にロックとロック解除動作が行われるようにした付勢巻取り式ネックストラップ装置１３６を形成した点にある。
首掛け帯紐６は首掛けループ１２を形成する。
【００２５】
＜第１４の実施の形態＞
図１８、図１９に示す本発明を実施するための最良の第１４の実施の形態において１３９は付勢巻取り式ネックストラップ装置であって、この付勢巻取り式ネックストラップ装置１３９は付勢巻取り装置１４０と、この付勢巻取り装置１４０の下方に立ち下げられたプレート２と、このプレート２の表面に設けられたフック面ファスナ４と、付勢巻取り装置１４０から引き出された巻取り紐５８に繋がれた首掛け紐部９０と、この首掛け紐９０の先端に取り付けられたクリップ９１（省略）とからなっている。
付勢巻取り装置１４０は、
筐体５７、この筐体５７に設けられた発条１３４、この発条１３４により付勢巻取り回転する前鍔１４１および後鍔１４２により形成された紐巻取り溝１４３を有するリール１４４とからなる付勢巻取り装置本体１５１と、
このリール１４４に巻取られた巻取り紐５８と、
筐体５７の前部のリール１４３から外れる下部位に形成された摘み抑え込みロック解除部通し穴１４５と、
この摘み抑え込みロック解除部し通し穴１４５に向かうように筐体５７の内側に固定された案内軸１４６と、
この案内軸１４６に設けられた押し出し付勢手段である圧縮コイルバネ１４７と、
案内軸１４６に案内され移動可能に設けられた、その適宜な部位をリール１４３の前鍔１４１に圧縮コイルバネ１４７の押し出し付勢力により当り抑えてリール１４３を付勢摩擦ブレーキ形態でロックするリール当接ロック部１４８を有する可動体１４９と、
この可動体１４９に設けられた摘み抑え込みロック解除部通し穴１４５から外側に突出された筐体５７ごと指で摘み持って押し込むことにより前記リール１４４（前鍔１４１）に当っているリール当接ロック部１４８をリール１４４（前鍔１４１）から離してロック解除状態とするための摘み抑え込みロック解除部１５０と、とからなっている。
【００２６】
＜第１５の実施の形態＞
図２０に示す本発明を実施するための最良の第１５の実施の形態において前記第１４の実施の形態と主に異なる点は、付勢巻取り装置１４０と同じ構造の付勢巻取り装置１４０ａ、付勢巻取り装置１４０ｂを横並びで設け、摘み抑え込みロック解除部１５０を連結部１１６で連結し、連結部１１６の中央に指当て部１１４を設けて、同時にロックとロック解除動作が行われるようにした付勢巻取り式ネックストラップ装置１５３を形成した点にある。
首掛け帯紐６は首掛けループ１２を形成する。
【００２７】
＜第１６の実施の形態＞
図２１図２２に示す本発明を実施するための最良の第１６の実施の形態において１５５は付勢巻取り式ネックストラップ装置であって、この付勢巻取り式ネックストラップ装置１５５は付勢巻取り装置１５６と、この付勢巻取り装置１５６の下方に立ち下げられたプレート２と、このプレート２の表面に設けられたフック面ファスナ４と、付勢巻取り装置１５６から引き出された巻取り紐５８、５８に繋がれた首掛けループ１２を形成する首掛け紐部９０（省略）とからなっている。
付勢巻取り装置１５６は、
筐体１５７と、
この筐体１５７内に設けられた第１の固定支柱１５８、該１５８に間隔をあけて横側に設けられた第２の固定支柱１５９と、
第１の固定支柱１５８の後部に内側端を固定して設けられた第１の発条１６０、第２の固定支柱１５９の後部に内側端を固定して設けられた第２の発条１６１と、
第１の固定支柱１５８に回転自在に軸支され、後部に第１の発条１６０を囲い且つ該１６０の外端を固定してなる発条囲い部１６２を設け、前部に鍔部１６３を設け、発条囲い部１６２と鍔部１６３の間に紐巻取り溝１６４を形成してなる巻取り紐５８を巻き取る第１のリール１６５、第２の固定支柱１５９に回転自在に軸支され、後部に第２の発条１６１を囲い且つ該１６１の外端を固定してなる発条囲い部１６２を設け、前部に鍔部１６３を設け、発条囲い部１６２と鍔部１６３の間に紐巻取り溝１６４を形成してなる巻取り紐５８を巻き取る第２のリール１６６と、
筐体５７の前部の第１のリール１６５と第２のリール１６６の間に設けられた摘み抑え込みロック解除部通し穴１６７と、
この摘み抑え込みロック解除部し通し穴１６７に向かうように筐体５７の後部壁内側に固定された案内軸１６８と、
この案内軸１６８に設けられた押し出し付勢手段である圧縮コイルバネ１６９と、
案内軸１６８に案内され移動可能に設けられた、その適宜な部位をリールの鍔部１６３、１６３に圧縮コイルバネ１６９の押し出し付勢力により当り抑えて第１のリール１６５、第２のリール１６６を付勢摩擦ブレーキ形態でロックするリール当接ロック部１７０を有する可動体１７１と、
この可動体１７１に設けられた摘み抑え込みロック解除部通し穴１６７から外側に突出された筐体１５７ごと指で摘み持って押し込むことにより第１のリール１６５、第２のリール１６６（鍔部１６３、１６３）に当っているリール当接ロック部１７０を鍔部１６３、１６３から離してロック解除状態とするための摘み抑え込みロック解除部１７２と、とからなっている。
リール当接ロック部１７０および鍔部１６３、１６３の両方あるいはいずれか一方にゴム製部材などの摩擦部材を設けるのもよい。また両方に摩擦ブレーキと殆ど変わらない作用となる微細凸凹を設けるのもよい。
【００２８】
＜第１７の実施の形態＞
図２３に示す本発明を実施するための最良の第１７の実施の形態において前記第１７の実施の形態と主に異なる点は、第１のリール１６５と第２のリール１６６の並べ方を縦並びとした付勢巻取り式ネックストラップ装置１７５を形成した点にある。
【００２９】
＜第１８の実施の形態＞
図２４に示す本発明を実施するための最良の第１８の実施の形態において１７８は付勢巻取り式ネックストラップ装置であって、この付勢巻取り式ネックストラップ装置１７８は付勢巻取り装置１７９と、この付勢巻取り装置１７９の下方に立ち下げられたプレート２と、このプレート２の表面に設けられたフック面ファスナ４と、付勢巻取り装置１７９から引き出された巻取り紐５８に繋がれた首掛け紐部９０と、この首掛け紐９０の先端に取り付けられたクリップ９１（省略）とからなっている。
付勢巻取り装置１７９は、
筐体１５７と、
この筐体１５７に設けられた発条１３４（図示せず）と、
この発条１３４により付勢巻取り回転する筐体５７に内設されたリール１２６と、
このリール１２６に巻取られた巻取り紐５８と、
この巻取り紐５８を筐体５７外に引き出す引出し口１３１と、
この引出し口１３１とリール１２６の間に設けられた筐体１５７と一体（別部材により形成され接着などにより一体化）の摘み抑え込みロック解除部支持案内部１８０と、
この摘み抑え込みロック解除部支持案内部１８０の前部に開口された摘み抑え込みロック解除部突出口１８１と、
摘み抑え込みロック解除部支持案内部１８０に可動するように収められその一部を摘み抑え込みロック解除部突出口１８１から外に突出させてなる摘み抑え込みロック解除部１８２と、
摘み抑え込みロック解除部１８２を外側に常に押し出し付勢する付勢手段である圧縮コイルバネ１８３、１８４と、
摘み抑え込みロック解除部１８２に設けられた、通された巻取り紐５８を引出し口１３１などの筐体１５７側ロック部位とで付勢挟持ロックするロック部である紐通し穴１８５とからなり、
親指と他の指で筐体１５７と摘み抑え込みロック解除部１８２を摘み該１８２を押込み移動させて巻取り紐５８の付勢挟持ロックを解除し、指を離すと圧縮コイルバネ１８３、１８４により紐通し穴１８５と引出し口１３１とによる巻取り紐５８の付勢挟持ロックが自動的に行われる。
【００３０】
＜第１９の実施の形態＞
図２５に示す本発明を実施するための最良の第１９の実施の形態において前記第１８の実施の形態と主に異なる点は、摘み抑え込みロック解除部支持案内部１８０、筐体１５７、プレート２、フック面ファスナ４を一体成形により一体的に形成してなる付勢巻取り式ネックストラップ装置１８８を形成した点にある。
１８９は筐体１５７の天板。
【００３１】
＜第２０の実施の形態＞
図２６に示す本発明を実施するための最良の第２０の実施の形態において前記第１９の実施の形態と主に異なる点は、筐体１９２内に横並びにリール１２６と同構成のリール１２６ａ、１２６ｂを横並びで設け、摘み抑え込みロック解除部１８２をリール１２６ａ、１２６ｂから引き出される巻取り紐５８、５８を同時にロック、ロック解除を行う横長の形態とした付勢巻取り式ネックストラップ装置１９３を形成した点にある。
巻取り紐５８、５８には首掛け帯紐６が繋がれ首掛けループ１２を形成する。
筐体１９２、リール１２６ａ、１２６ｂ、摘み抑え込みロック解除部１８２とで付勢巻取り装置１９４を形成する。
【００３２】
＜第２１の実施の形態＞
図２７に示す本発明を実施するための最良の第２１の実施の形態において前記第１４の実施の形態と主に異なる点は、摘み抑え込みロック解除部の構造を巻取り紐引出し口１３１から外に片唇形態で突き出したロック片２００を設け、筐体５７に移動可能に被さり形態で設けられた内設された付勢手段２０１により押し出し付勢されてなる摘み抑え込みロック解除部２０２を設け、この摘み抑え込みロック解除部２０２の側部にロック片２００と巻取り紐５８が通される穴形態ないし溝形態のロック部２０３を設けてなる付勢巻取り装置２０４を形成した点にある。
摘み抑え込みロック解除部２０２の解放状態では、付勢手段２０１の付勢力より巻取り紐５８はロック片２００とロック部２０３の内壁に付勢挟持状態のロック状態となっていて、付勢巻取り装置２０４を指で摘み摘み抑え込みロック解除部２０２を押え込むと、該２０２は内側に移動しロック片２００とロック部２０３の内壁は離れて巻取り紐５８が移動自由のロック解除状態となる。
【００３３】
＜第２２の実施の形態＞
図２８に示す本発明を実施するための最良の第２２の実施の形態において前記第７の実施の形態と主に異なる点は、首掛け紐部９０にかえて、端方に巻き取り紐５８を取り付けてなる首に掛ける形態に形成され該形態が崩れないような部材によりなる首掛け部体２０７を設けてなる付勢巻取り式ネックストラップ装置２０８を形成した点にある。
首掛け部体２０７は局部や全体に滑り止め部材による滑り止めがなされているのがよい。滑り止めはソフトな部材がよい。
「首に掛ける形態に形成され該形態が崩れないような部材」とは、針金状部材に滑り止め部材を被せたもの、射出成形等で成形されたものなどがある。
首掛け部体２０７の両端に付勢巻取り装置９２などの付勢巻取り装置を設け、一方に携帯電話を取り付け、他方にICカードやネームカードを取り付けるのもよい。
首掛け部体は携帯品の引き下ろし操作などの操作では変形することがない形態維持強度を有するとともに、手で曲げて好みの形態に変形させることができるものもよい。
【００３４】
＜付記０１＞
［請求項１］
筐体と、
この筐体に設けられた発条などの付勢力により付勢巻取り回転するリールと、
このリールに付勢巻取状態で前記筐体外に引き出されるリール紐と、
前記リールの上方に設けられた前記リールの付勢巻取り回転をロックするロック機構部と、
前記リールのロック状態を解除する前記ロック機構部の一部であるロック解除操作部とからなることを特徴とするロック機構付き付勢巻取り装置。
［請求項２］
リール紐が適当な間隔をあけて設けられた左引出し口、右引出し口から引き出される左リール紐、右リール紐の一対のリール紐であることを特徴とする請求項１記載のロック機構付き付勢巻取り装置。
［請求項３］
ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする請求項１、２いずれか記載のロック機構付き付勢巻取り装置。
［請求項４］
携帯電話などの携帯品の裏側に筐体のリールを有する部位を位置させ且つロック解除操作部を前記携帯品の外上方に位置するように取り付けるための取付部を前記筐体に設けてなることを特徴とする請求項１〜３いずれか記載のロック機構付き付勢巻取り装置。
［請求項５］
筐体の裏側に面ファスナまたはクリップを設けてなることを特徴とする請求項１〜４いずれか記載のロック機構付き付勢巻取り装置。
［請求項６］
携帯電話や携帯音楽プレイヤーや携帯テレビ・ラジオ・携帯カメラ、ＩＣカード、携帯ケースなどの携帯品本体と、
この携帯品本体に設けられた発条などの付勢力により付勢巻取り回転するリールと、
このリールに付勢巻取状態で前記携帯品本体外に引き出される一対のリール紐と、
この一対のリール紐で形成されるあるいは該一対のリール紐と他の部材によって形成される首掛けループ部と、
前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品。
［請求項７］
ロック解除操作部が押し出し付勢力に抗して指で押え込む押さえ込みボタンであるとともに、前記押さえ込みボタンを主に人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする請求項６記載の携帯補助具付き携帯品。
［請求項８］
筐体と、
この筐体に設けられた発条などの付勢力により付勢巻取り回転するリールと、
このリールに付勢巻取状態で前記筐体外に引き出される一対のリール紐を形成する第１のリール紐、第２のリール紐と、
前記第１のリール紐の端に設けられた第１のリール紐側着脱パーツと、
前記第２のリール紐の端に設けられた前記第１のリール紐側着脱パーツと連結できる第２のリール紐側着脱パーツと、
首に掛ける平紐と、
この平紐の一方の端に設けられた前記第１のリール紐側着脱パーツに連結できる第１の平紐側着脱パーツと、
前記平紐の他方の端に設けられた前記第２のリール紐側着脱パーツに連結できる第２の平紐側着脱パーツとからなることを特徴とするロック機構付き付勢巻取り装置。
［請求項９］
請求項１〜６いずれか記載の発明において、
リール紐がリールに付勢巻取状態で前記筐体外に引き出される一対のリール紐を形成する第１のリール紐、第２のリール紐であり、
前記第１のリール紐の端に第１のリール紐側着脱パーツを設け、
前記第２のリール紐の端に前記第１のリール紐側着脱パーツと連結できる第２のリール紐側着脱パーツを設け、
首に掛ける平紐を設け、
この平紐の一方の端に前記第１のリール紐側着脱パーツに連結できる第１の平紐側着脱パーツを設け、
前記平紐の他方の端に前記第２のリール紐側着脱パーツに連結できる第２の平紐側着脱パーツを設けてなることを特徴とするロック機構付き付勢巻取り装置。
［請求項１０］
請求項７、８いずれか記載の発明において、
リール紐がリールに付勢巻取状態で前記筐体外に引き出される一対のリール紐を形成する第１のリール紐、第２のリール紐であり、
前記第１のリール紐の端に第１のリール紐側着脱パーツを設け、
前記第２のリール紐の端に前記第１のリール紐側着脱パーツと連結できる第２のリール紐側着脱パーツを設け、
首に掛ける平紐を設け、
この平紐の一方の端に前記第１のリール紐側着脱パーツに連結できる第１の平紐側着脱パーツを設け、
前記平紐の他方の端に前記第２のリール紐側着脱パーツに連結できる第２の平紐側着脱パーツを設けてなることを特徴とする携帯補助具付き携帯品。
［発明の名称］  ロック機構付き付勢巻取り装置
［技術分野］
［０００１］
本発明は、携帯電話、カメラ、音楽プレーヤ、携帯ラジオ・テレビ、携帯ＧＰＳ、ＩＣカード、カードケースなどの携帯品を首から吊るし携行したり、あるいあ腰やバックに吊るし携行するのに適したロック機構付き付勢巻取り装置に関する。
［背景技術］
［０００２］
従来のロック機構付き付勢巻取り装置を有するネックストラップ装置には以下に述べるものがある。
（１）  特許文献１（実用新案登録第３０７０７８９号公報）に、筐体と、この筐体に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状の首掛けループを形成してなるリール紐（帯紐）と、筐体とリールの中央に設けられた、押すとロックが解除されて付勢巻取り状態となり離すとロックされてリールの回転が止められるようにしてなるロックボタン機構と、筐体の下部から下げられた携帯電話などを吊り下げるためのループ細紐（松葉）と、とからなるロック機構付き付勢巻取り装置の発明が開示されている。
（２）  特許文献２（特開平９−２９９１２８号公報）に、発条によりループリール紐を巻取り付勢状態とされた2つのリール（巻取りドラム）をロック・ロック解除するための機構として、筐体とリールの中央に指で抑えスライドさせるロック方向にバネ１０で常に押されているストッパー９が設けられたロック機構付き付勢巻取り装置の発明が開示されている。
（３）  特許文献３（特開２００６−５５６２７号公報）の図５１に、首掛けループを形成してなる一対の吊り紐（紐）を通し、その一対の吊り紐を付勢挟持してロックするロック機構を有し且つ指で摘みロック解除の内駒を押し込んでロックを解除し上下に移動自在とした移動係留体と、この移動係留体に四角形枠形態の掛け手段を下げ、その掛け手段に携帯電話を吊り下げ、移動係留体から下方にでた一対の吊り紐を掛け手段の中を通して携帯電話の裏に出すようにしてなる携帯品等の下げ具の発明が開示されている。
［０００３］
［特許文献１］実用新案登録第３０７０７８９号公報
［特許文献２］特開平９−２９９１２８号公報
［特許文献３］特開２００６−５５６２７号公報
［非特許文献１］特になし
［発明の開示］
［発明が解決しようとする課題］
［０００４］
上述した従来技術は、筐体とリールの中央にロック解除操作部が設けられ、筐体の下部に細紐からなる携帯電話やカメラなどの携帯品を取り付けるループ細紐を有する形態であるので、付勢巻取り手段全体が携帯品の上方に位置するものであったため次に述べるような欠点を有するものであった。
（１）  特許文献１、２の発明は、片手で自在に上げ下げができるのであるが、ネックストラップ形態での使用では、ロック機構付き付勢巻取り装置が非常に目立ってしまう、携帯品の最大上げ位置がロック機構付き付勢巻取り装置本体とループ細紐の分だけ下方になってしまう、すなわち首根っこからかなり下方（どんなに上げてもみぞおち当り）にしか上げられない、そのため携帯品の振れが大きくなってしまうという欠点を有するものであった。
（２）  特許文献１、２の発明は、筐体を大きくしてリールのリール紐の巻取り量を多くすることによって、リール紐の引き出し量を例えば携帯電話を持った腕を延ばしきって携帯電話をかざすことができるようにすることが考えられるが、リール及び筐体が大きくなりすぎて異様に目立ってしまうという欠点を有するものであった。
（３）  特許文献１、２の発明は、ズボンの腰ベルトやベルト通しやバックのベルトにリールから引き出されたリール紐を潜らせ取り付け携行する場合には次のような欠点を有するものであった。
｛１｝  取り付けた携帯電話をズボンのポケットに入れて携行する場合には携帯電話とリールはループ細紐によって繋がれた携帯電話がリールとは離れたブラブラ状態にあるので、片手で携帯電話とリールを同時に一体的に掴むことができず、したがって携帯電話を操作する際には左手で携帯電話を持ち右手でリールを摘みロック解除操作部を押して携帯電話を引き上げ（リール紐を引き出す）るという、両手を使わなければならない（片手では操作できない）という欠点を有するものであった。
｛２｝  携帯電話とリールはループ細紐によって繋がれた少なくとも４ｃｍ以上は離れた形態であり、それにリールの長さが加わって９ｃｍ程度は携帯電話がベルトから離れた形態であるので、その分だけ携帯電話のポケットへの収納位置を好適なものにできない（特にジーパンなどのポケットが上方にあるもの）という欠点を有するものである
｛３｝  携帯電話を腰に単なる吊り状態で携行した場合、ベルトなどの吊り部分からリール＋ループ細紐という少なくとも９ｃｍ程度の吊り部分で携帯電話などの携帯品を吊り下げる状態となるので、携帯電話が歩行動作ごとなどに大きく振れてしまって携行性がとても悪い、常に携帯電話をループ細紐で吊り下げ振れ擦れ状態にあるので、ループ細紐が早期に擦れ傷んでしまうという欠点を有するものであった。
手提げないし肩掛けバックのベルトに下げ携行する場合も、上記と同じように９ｃｍ程度の吊り部分で携帯電話などの携帯品が大きく振れて不具合であるという欠点を有するものであった。
（４）  特許文献３の発明は、首根っこに近接する位置まで携帯電話を上げ係留して振れの小さな携行を実現するものであるが、上に上げるには吊り紐の下方を一方の手で摘み、他方の手で移動係留体を摘み内駒を押し込んでロックを解除して操作しなければならず、片手で上下移動操作を行なえないという欠点を有するものであった。
また、吊り紐が携帯電話の下方に垂れてしまうという欠点を有するものであった。
また、ズボンの腰や腰ベルト、バックのベルトにループ紐を巻き通し掛けた状態で吊っての使用では、両手で上げ下げ操作を行なわなくてはならない、スムーズな操作ができない、吊り紐が長く垂れてしまうという欠点を有するものであった。
［０００５］
本発明は以上のような従来技術の欠点に鑑みてなされたものであって、
（１）  ロック機構付き付勢巻取り装置を目立たなくするとともに、吊り下げた携帯品を首根っこに近接する高いところまで上げ係留でき且つ携帯品の上下移動が自在に行なえ好みの位置に係留することができるロック機構付き付勢巻取り装置を提供することを目的としている。
（２）  本発明の他の目的は、携帯電話を腰ベルトなどの腰部分に吊り該携帯電話をズボンのポケットに入れて携行する場合には、携帯電話の吊り位置をポケットの好適な位置に調節して止め携行でき且つ片手で携帯電話を持ち耳元まで引き上げ止め通話や操作が行なえることを可能とし、腰ベルトやバックのベルトなどに単に吊りフリー状態で携行する場合は、吊っているベルトと携帯電話との距離が３ｃｍ程度と短く振れ支点がベルトと該ベルトにまわし掛けたリール紐のみとなって小さい振れを実現し且つ片手で携帯電話を持ち耳元まで引き上げ止め通話や操作が行なえることを可能とするロック機構付き付勢巻取り装置を提供することを目的としている。
（３）  本発明の他の目的は前記（１）と（２）の目的を実現するロック機構付き付勢巻取り装置を提供することを目的としている。
［０００６］
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
［課題を解決するための手段］
［０００７］
上記目的を達成するために本発明は次に述べるような構成となっている。
（請求項１記載の発明）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、
前記リールのロック状態を解除する前記ロック機構部の一部であるロック解除操作部とからなることを特徴とするロック機構付き付勢巻取り装置である。
「リール」とは、紐（リール紐）を巻き取る手段を意味し、フランジの無い巻取り軸のみのもの、巻取り軸と一体的に回転する一対ないし１つのフランジを有するものなど多様な巻取り形態を技術的範疇に含むものである。
「筐体」とは、リールを被うケース体形態のもの、フランジの無い巻取り軸のみの場合において、巻取り軸を回転可能に軸受けする一対の回転しない側部の大半が開口した壁形態のものなどを技術的範疇に含むものである。
（請求項２記載の発明）
請求項１記載の発明の構成において、リール紐が適当な間隔をあけて設けられた左引出し口、右引出し口から引き出される左リール紐、右リール紐の一対のリール紐であることを特徴とするロック機構付き付勢巻取り装置である。
（請求項３記載の発明）
請求項１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とするロック機構付き付勢巻取り装置である。
「リールのロック」は、リール紐を挟持状態、噛み状態等によりロックしてリールもロックする形態、リールそのものに直接当てるあるいは嵌めるなどによりロックする形態などがある。
（請求項４記載の発明）
請求項１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とするロック機構付き付勢巻取り装置である。
「取付部」には、着脱自在に嵌合する形態、面ファスナにより着脱自在に係着する形態、接着で固定する粘着剤、ネジの締め付けで固定するためのネジネジ通し穴など多様な形態がある。
（請求項５記載の発明）
請求項１〜４いずれか記載の発明の構成において、筐体の裏側に面ファスナまたはクリップを設けてなることを特徴とするロック機構付き付勢巻取り装置である。
（請求項６記載の発明）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品である。
（請求項７記載の発明）
請求項６記載の発明の構成において、ロック解除操作部が押し出し付勢力に抗して指で押え込む押さえ込みボタンであるとともに、前記押さえ込みボタンを主に人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品である。
（請求項８記載の発明）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とするロック機構付き付勢巻取り装置である。
（請求項９記載の発明）
請求項１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とするロック機構付き付勢巻取り装置である。
（請求項１０記載の発明）
請求項７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品である。
［発明の効果］
［０００８］
以上の説明から明らかなように、本発明にあっては次に列挙する効果が得られる。
（請求項１記載の発明の効果）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、前記リールのロック状態を解除する前記ロック機構部の一部であるロック解除操作部とからなることを特徴とするロック機構付き付勢巻取り装置であるので、
リールを有する筐体部分を携帯電話の裏側に位置するように係止手段で係止したり粘着剤などで固定したり面ファスナなどの取付手段（取付部）で取付するとともに、ロック解除操作部は携帯電話の外の上方に位置させた取付形態を実現することができる。
これにより、
（１）  取り付けた携帯電話等の携帯品の上げ下げを片手のみで移動させ好みの位置でロック係留を行なうことを可能にできとともに、携帯電話の上方に近接されたロック解除操作部が一体化された形態を実現するので、例えば：首掛けループタイプでは携帯電話を首根っこに近接する部位まで上げることができ、且つ、より振れの小さい携行を可能にするという効果を奏する。
（２）  ロック機構付き付勢巻取り装置の殆どの部位は携帯電話の裏側に隠れているので、ロック機構付き付勢巻取り装置が目立つことの無い携行を実現するという効果を奏する。
（３）  携帯電話やカードケース等の携帯品の裏側に筐体を隠す形態を実現するものであるので、携帯電話に隠れるあるいは目立たない範囲（はみ出る形態を技術的範疇外とするものではなく、はみ出る形態も技術的範疇にふくまれるものである。）で筐体およびリールを従来のものより遥かに大きいものにできる。すなわち、平紐形状のリール紐を重ね巻取り形態としたものでも、持った手を略のばしきって携帯電話をかざすことを、ロック機構付き付勢巻取り装置が目立たない形態で実現できるという効果を奏する。
また、リール紐がループ形態では腰ベルトにループ形態のリール紐をまき掛けて腰に携帯電話を吊り状態にした状態で、携帯電話を耳元まで余裕で引き上げ持ってくることができるリール紐の長さを実現することができる。
（４）  腰ベルトやバックのベルトにループ形態のリール紐をまき掛けて携帯電話を吊り状態にした携行では次のような効果を奏する。（一歩のリール紐でも先端にクリップ、玉、面ファスナバンドを設ける、縛るなどにより同様な効果を得ることができる。）
｛１｝  ズボンのポケットに携帯電話を収納携行する場合は、携帯電話と該携帯電話の上方に位置したロック解除操作部が一体形態であるので腰ベルトと携帯電話の距離は３ｃｍ程度短い形態を実現し、ズボンポケットの好適な位置に携帯電話を吊り状態で留置く（係留）ことができるという効果を奏する。
例えば：従来技術ではジーパンなどのポケットが上方にある場合には、ポケットの奥深く携帯電話が入ってしまい、取り出し難い、座ったときなどに携帯電話に無理な力がかかって故障を起しやすい、それを避けるために携帯電話をポケットから出して吊り状態で座った場合は吊り下げ状態が長いために（リール＋ループ細紐という少なくとも９ｃｍ程度の吊り、腰ベルトから携帯電話の下部までの距離は略２０ｃｍくらいである。）不具合を強く感じるなどの問題を持つものであった。
これに対して、本願発明ではポケットから半分は外に出しての携行を可能とし、取り出しやすい、半分出た状態で座ったときなどに無理な力が加わった場合はポケットから携帯電話が押し出されて外に吊り状態になりやすく、吊り状態となっても上げて腰ベルトから携帯電話の下部までの長さは１２ｃｍ程度と短く且つ振れる支点が腰ベルトやベルト通し部と掛けたリール紐のみであるので振れが大変小さく、不具合を感じさせない軽快さを感じさせる携行を実現するものである。
また、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
｛２｝  腰ベルト（ベルト通し部を含む）やバックのベルトにループ形態のリール紐をまき掛けて携帯電話を外に単に吊り状態（ブラブラ状態）にした携行では、ベルトと携帯電話との距離が３ｃｍ程度と短く振れ支点がベルトと該ベルトにまわし掛けたリール紐のみとなって小さい振れを実現し、且つ、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
（５）  本発明は、引用文献１、２の有する片手で上下に自在に移動できるという利点と、引用文献３の首根っこに近接する位置まで上げ係留して振れの小さい携行ができるという利点の両方を実現するとともに、引用文献１、２の首根っこに近接する位置まで携帯電話を上げ係留できないという欠点と、引用文献３の片手で上下操作ができない、吊り紐が携帯電話の下方に垂れるという欠点を解決するという効果を奏するものである。
（請求項２記載の発明の効果）
請求項１記載の発明の構成において、リール紐が適当な間隔をあけて設けられた左引出し口、右引出し口から引き出される左リール紐、右リール紐の一対のリール紐であることを特徴とするロック機構付き付勢巻取り装置であるので、
請求項１記載の発明の効果に加えて、首に掛けるネックストラップ形態を実現するという効果を奏する。
（請求項３記載の発明の効果）
請求項１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とするロック機構付き付勢巻取り装置であるので、
請求項１、２いずれか記載の発明の効果に加えて、「ボタンの摘み押えと離し」という簡単な操作によりリールのロック解除およびロックができるので、片手のみの操作で上下移動操作および好みの位置への係留が素早く軽快に行なえるので操作性が大変良いという効果を奏する。
（請求項４記載の発明の効果）
請求項１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とするロック機構付き付勢巻取り装置であるので、
請求項１〜３いずれか記載の発明の効果に加えて、ロック解除操作部部分以外のロック機構付き付勢巻取り装置の殆どの部分を携帯電話の裏側に係止ないし固定が行なえるという効果を奏する。
（請求項５記載の発明の効果）
請求項１〜４いずれか記載の発明の構成において、筐体の裏側に面ファスナまたはクリップを設けてなることを特徴とするロック機構付き付勢巻取り装置であるので、
請求項１〜４いずれか記載の発明の効果に加えて、面ファスナなら着衣の側に設けた面ファスナに係着することにより、クリップならワイシャツの前立て部位を挟持して、下方に吊り位置させた携帯電話が全く振れない携行と、携帯電話の荷重を着衣に掛けることにより首に掛けた首掛け部位（ループ）による首への負荷を大幅に軽減ないし殆ど皆無にした携行を可能とするという効果を奏する。
（請求項６記載の発明の効果）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品であるので、
請求項１記載の発明と同様な効果を奏する。
（請求項７記載の発明の効果）
請求項６記載の発明の構成において、ロック解除操作部が押し出し付勢力に抗して指で押え込む押さえ込みボタンであるとともに、前記押さえ込みボタンを人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品であるので、
請求項３記載の発明と同様な効果を奏する。
（請求項８記載の発明の効果）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とするロック機構付き付勢巻取り装置であるので、
平紐を取り付けて首掛けループを形成して首に掛け下げての平紐による当りの弱い首に優しい携行を実現するとともに、平紐を外して、第１のリール紐と第２の右リール紐連結してループを形成して、ズボンの腰ベルトやバンド通し部、バックのベルトにループをまわし通し掛けて状態として携帯電話等を吊り携行することができるという、２つの携行形態を実現するとういう効果を奏する。
また、リール紐を全部リールに巻取り収納した状態においては、第１のリール紐と第２のリール紐を連結したループ状態とすることにより、着脱パーツが立たない見た目の良い形態を実現するという効果を奏する。
（請求項９記載の発明の効果）
請求項１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とするロック機構付き付勢巻取り装置であるので、
請求項１〜６いずれか記載の発明の効果に加えて請求項８記載の効果を加えた効果を奏する。
（請求項１０記載の発明の効果）
請求項７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品であるので、
請求項７、８いずれか記載の発明の効果に加えて請求項８記載の効果を加えた効果を奏する。
［発明を実施するための最良の形態］
［０００９］
以下、図面に示す発明を実施するための最良の形態により、本発明を詳細に説明する。但し、本願発明をそれらにのみに限定するものではない。また、実施の形態の説明にあたって同一構成部分には同じ符号を付与しその説明を省略する。
［００１０］
＜第２３の実施の形態＞
図２９〜図３１に示す本発明を実施するための最良の第1の実施の形態において１はロック機構付き付勢巻取り装置であって、このロック機構付き付勢巻取り装置は１は長方形の筐体２と、この筐体２の内部に設けられた付勢巻取り機構部３と、この付勢巻取り機構部３から筐体２外に引き出された左リール紐４ａ、右リール紐４ｂの一対のリール紐で外側でループを形成するループ紐４と、付勢巻取り機構部３の上方に設けられた付勢巻取り機構部３の付勢回転を左リール紐４ａ、右リール紐４ｂを付勢挟持（噛み挟持）してロック状態とし且つ摘んだ指で押え押し込んでロック状態を解除する押し込みボタン形態のロック解除操作部５を筐体２の外に突出させたロック機構部６とからなっている。
［００１１］
付勢巻取り機構部３は、外周を歯車形態にした左リール紐８と、外周を歯車形態にした右リール紐９と、左リール紐８と右リール紐９の間に設けられた該８と該９の歯車に噛み合う歯車を外周に有する内部に巻取り付勢力である発条１０を内設した付勢回転体１１とからなっている。
左リール紐８は筐体２に一体的に形成されたリール軸１２に回転フリーに軸支され、右リール紐９は筐体２に一体的に形成されたリール軸１３に回転フリーに軸支され、付勢回転体１１の発条１０の内側先端は筐体２に一体的に形成された発条固定軸１４に固定され、発条１０の外側先端は付勢回転体１１に固定され、付勢回転体１１は発条固定軸１４に回転可能に軸支されている。
［００１２］
ロック機構部６は、横長の頭部１７、該１７と同形状のロック部１８、頭部１７とロック部１８の間の左右に設けられた空間からなる左リール紐４ａ、右リール紐４ｂを通す紐通し部１９、中央に設けられた圧縮コイルバネ２０を入れるためのコイル入れ部２１とからなる横長の押しボタン形態であるロック解除操作部５と、筐体２内にセットしたロック解除操作部５の頭部１７の一部を筐体２外に露出させる筐体２の表面上方（右リール紐９の上方）に設けられた開口部２２と、筐体２の上部に離して設けられた紐通し部１９を通された左リール紐４ａを筐体２の外に引き出するための左引出し口２３、右リール紐４ｂを引き出するための右引出し口２４と、開口部２２の直ぐ下方に設けられた筐体２と一体成形により設けられた紐通し口形成体２５と、この紐通し口形成体２５の左右に設けられた紐通し部１９を通す左リール紐４ａを通す左リール紐通し口２６、右リール紐４ｂを通す右リール紐通し口２７とからなっている。
ロック解除操作部５はフリー状態では圧縮コイルバネ２０の押し出し付勢力により押し出し付勢状態にあって、この押し出し付勢状態では左リール紐４ａ、右リール紐４ｂはロック部１８と左引出し口２３、右引出し口２４、左リール紐通し口２６、右リール紐通し口２７に挟み付けられたロック状態となっていて、左リール紐８、右リール紐９および付勢回転体１１の回転もロック状態となっている。
親指を筐体２の裏側に当て人差し指をロック解除操作部５に当て摘み状態として、ロック解除操作部５を押し込むとロック部１８は後に移動してリール紐のロック状態が解除され、ロック解除操作部５を押し込み摘んだままの状態で上下に自在に移動させることができる。下げるときは発条１０の巻取り付勢力に抗して、上げるときは発条１０および付勢回転体１１による左リール紐８と右リール９の付勢回転による巻き込みによって、上下移動が素早く軽快に行なえる。
ロック解除操作部５の押し込みを止めると圧縮コイルバネ２０の付勢力によりロック部１８が前方に移動して左引出し口２３、右引出し口２４、左リール紐通し口２６、右リール紐通し口２７に挟み付けられたロック状態とし、好みの位置で止め係留状態とすることができる。
ロック部１８と左引出し口２３、右引出し口２４、左リール紐通し口２６、右リール紐通し口２７との間の隙間はリール紐の太さよりも狭くなっており、できる限る近接しているのが良い。
［００１３］
筐体２の左引出し口２３、右引出し口２４の直ぐ内側には紐受突起２８、２９が設けられ、ループ紐４が目いっぱい巻き込まれた状態で筐体２との間に指でループ紐４を摘み易くするための隙間が形成されるようになっている。
ループ紐４を目いっぱいに巻き取った状態において、筐体２の外で例えばハンドストラップとなるループを描くようにするのもよい。この場合、紐受突起２８、２９は必要がない。
筐体２の表部には携帯電話Ｋの裏側に設けたループ面ファスナ３０に係着させるフック面ファスナ３１が設けられ、筐体２の裏部にはループ面ファスナ３２が設けられている。
筐体２の下部には、携帯電話Ｋに取り付けた細吊り紐３３の丸環３４を取り付けるための紐掛け部３５が設けられ、ロック機構付き付勢巻取り装置１に取り付けた携帯電話Ｋが外れても紐掛け部３５によって地面への落下が阻止されるようになっている。
筐体２内部には左リール紐４ａ、右リール紐４ｂを案内する紐案内コロ３６ａ、３６ｂ、３６ｃが適宜設けられている。
付勢巻取り機構部３の筐体部位に対してロック機構部６の筐体部位は、ロック機構部６が前方に突出した厚みのある形態となっていて、その段差が顎部３７となって携帯電話Ｋを取り付ける際の当て部（位置決め部）としての役割をはたすようになっている。また、ロック機構部６を厚みのある前後に中空距離の長い形態としたことにより、ロック機構部６を形成しやすくするとともに、携帯電話Ｋの裏側にセットされる付勢巻取り機構部３側を薄い形態にできる。
左リール紐８、右リール紐９、付勢回転体１１の並べ順は付勢回転体１１が一番上でも一番下でも、左リール紐８、右リール紐９のいずれが上方に位置してもかまわず、また横並びとしても横長のカードケースやＩＣカードなどではよいなど多様な並び形態がある。
ループ面ファスナ３２に変えてクリップを設けるのも良い。クリップは向きを立て横に変えることができるものがよい。
［００１４］
ロック機構付き付勢巻取り装置１を携帯電話やカードケースなどに接着剤やネジで一体化してなる携帯補助具付き携帯品を形成するのもよい。
ロック機構付き付勢巻取り装置１の付勢巻取り機構部３およびロック機構部６を携帯電話などの携帯品に内設してなる携帯補助具付き携帯品を形成するのもよい。
筐体にカードケースを一体成形により設けてなる携帯補助具付き携帯品を形成するのもよい。
以下に述べるロック機構付き付勢巻取り装置の実施の形態においては、上記のようにすることにより携帯補助具付き携帯品を形成する携帯補助具付き携帯品を形成することを実施の形態の１つとするものであり、以下においてはその説明を省略する。
［００１５］
＜第２４の実施の形態＞
図３２、図３３に示す本発明を実施するための最良の第２の実施の形態において４０はロック機構付き付勢巻取り装置であって、このロック機構付き付勢巻取り装置４０は筐体４１と、この筐体４１の内部に設けられた付勢巻取り機構部４２と、この付勢巻取り機構部４２から筐体４１外に引き出された左リール紐４ａ、右リール紐４ｂと、付勢巻取り機構部４２の上方に設けられた付勢巻取り機構部４２の付勢回転をロック状態とし且つ摘んだ指で押え押し込んでロック状態を解除する押し込みボタン形態のロック解除操作部４３を筐体４１の外に開口部３９から露出させたロック機構部４４とからなっている。
［００１６］
付勢巻取り機構部４２は外周を歯車形態にした左リール紐４５と、該４５と歯車を噛み合わせた外周を歯車形態にした左リール紐４５と、右リール紐４６を付勢回転体にする該４６に内設された発条１０とからなっている。
左リール紐４５は筐体４１に一体的に形成されたリール軸１２に回転フリーに軸支され、右リール紐４６は筐体４１に一体的に形成された発条固定軸１４に回転可能に軸支され、発条１０の内側先端は発条固定軸１４に固定され、発条１０の外側先端は右リール紐４６に固定されている。
左リール紐４５を右リール紐４６と同じように発条１０を備えた構成として、２つのリールがそれぞれ付勢巻取り回転するようにするのもよい。
［００１７］
ロック機構部４４は、円形のロック解除操作部４３と、このロック解除操作部４３の左右に突出形成された回転阻止突起４７ａ、４７ｂと、ロック解除操作部４３の下部に突出設けられた右リール紐４６の歯車に噛み合わさるロック突起４８と、ロック解除操作部４３、回転阻止突起４７ａ、４７ｂが嵌る筐体４１に一体的形成されてなる操作部支持部４９と、ロック解除操作部４３の内側に入れられた該４３を押し出し付勢している圧縮コイルバネ２０とからなっている。
右リール紐４６の歯車５０は一対のフランジの前方フランジに形成されており、ロック突起４８は歯車５０のフランジの厚みより少し厚めであって、後方に移動できる空間を有している。
通常はロック解除操作部４３は圧縮コイルバネ２０により外側に押し出し付勢状態となっているので、ロック突起４８は最前方に位置されて歯車５０に噛み合い状態であるロック状態となっている。
指でロック解除操作部４３を押し込むとロック突起４８は後方に移動して歯車５０外に位置しロック解除状態となる。ロック解除操作部４３を押し込んだまま、片手のみで上下移動を素早く簡単・軽快に行なうことができる。ロック解除操作部４３の押し込みを止めるとロック状態となりその場所で係留状態となる。
［００１８］
筐体４１の左右には筐体４１の表面を同じにしてなるフランジ５１ａ、５１ｂが設けられている。
携帯電話Ｋの裏側には、フランジ５１ａ、５１ｂを下方から嵌め込む携行補助具取付部５２ａ、５２ｂが設けられている。
筐体４１の外に出されている左リール紐４ａ（第１のリール紐）の先端には２ｋｇ以上の引張りがあると外れる着脱パーツ５３の雄パーツ５５（第１のリール紐側着脱パーツ）が取り付けられ、右リール紐４ｂ（第２のリール紐）の先端には着脱パーツ５３の雌パーツ５６（第２のリール紐側着脱パーツ）が取り付けられていて、一方の端に着脱パーツ５３の雌パーツ５６（第１の平紐側着脱パーツ）を取り付け他方の端に着脱パーツ５３の雄パーツ５５（第２の平紐側着脱パーツ）を取り付けてなる１０ｍｍ〜１５ｍｍ幅の平紐５４が連結され、首掛けループ５７を形成している。
平紐５４を取り付けて首掛けループ５７を形成して首に掛け下げての平紐による当りの弱い首に優しい携行を実現するとともに、平紐５４を外して、左リール紐４ａの雄パーツ５５と右リール紐４ｂの雌パーツ５６を連結してループを形成して、ズボンの腰ベルトやバンド通し部、バックのベルトにループをまわし通し掛けて状態として携帯電話等を吊り携行するときに、吊りの短く振れの小さい携行を実現し吊り紐が邪魔にならない携行という、２つの携行形態を実現するとういう効果を奏する。
また、リール紐を全部リールに巻取り収納した状態においては、左リール紐と右リール紐を連結したループ状態とすることにより、着脱パーツ５３が立たない見た目の良い形態を実現するという効果を奏する。
平紐５４はソフトゴム平紐とするのがクッション性の優しく負荷の感じ方が優しいものとできるのでよい。
着脱パーツはリングと丸環（開口が開閉する）などの他のパーツによるものも技術的範疇に含まれるものである。
左リール紐４５と右リール紐４６は横並びとする形態もよい。
筐体４１を携帯電話のバッテリカバーとするのもよい。この場合は携帯補助具付き携帯品を形成する。
［００１９］
＜第２５の実施の形態＞
図３４〜図３６に示す本発明を実施するための最良の第３の実施の形態において６０はロック機構付き付勢巻取り装置であって、ロック機構付き付勢巻取り装置６０は筐体６１と、この筐体６１の内部に設けられた付勢巻取り機構部６２と、この付勢巻取り機構部６２から筐体６１外に引き出された左リール紐６３ａ、右リール紐６３ｂの一対の平紐で首掛けループを形成するループ紐６４と、付勢巻取り機構部６２の上方に設けられた付勢巻取り機構部６２の付勢回転をロック状態とし且つ摘んだ指で押え押し込んでロック状態を解除する押し込みボタン形態のロック解除操作部６５を筐体６１の外に開口部６６から露出させたロック機構部６７と、筐体６１の付勢巻取り機構部６２を収納している巻取り機構筐体部６８と、筐体６１のロック機構部６７を収納してなる巻取り機構筐体部６８よりも前方に突出してなるロック機構筐体部６９と、巻取り機構筐体部６８とロック機構筐体部６９に境に形成された顎部７０と、この顎部７０から突出された携帯電話Ｋの首から吊り下げた状態で見て携帯電話本体Ｂの頂部に設けられたフック掛け穴７１に嵌合掛けるフック部７２、７２を有するフック機構部７３と、筐体６１の下部に立ち下げられた差込片７４とからなっている。
［００２０］
付勢巻取り機構部６２は、筐体６１と一体成形により設けられた発条固定軸７５に回転自在に取り付けられた一対にフランジを有するリール７６と、このリール７６に内設され内端を発条固定軸７５に固定し外端をリール７６に固定して、リール７６を付勢巻取り回転状態にする発条７７と、ループ紐６４を案内する案内コロ７８ａ、７８ｂ、７８ｃ、７８ｄとからなっている。
［００２１］
ロック機構部６７は、円形ボタン形態のロック解除操作部６５と、この円形ボタン形態のロック解除操作部６５の下部の左右に突出するように設けられた板状のロック部７９ａ、７９ｂと、ロック解除操作部６５の下方に該６５に隣接して筐体６１に固定設けられた紐通し口形成体２５と、ロック解除操作部６５に入れられ該６５を押し出し付勢状態としている圧縮コイルバネ２０とからなっている。
通常の状態では圧縮コイルバネ２０の押し出し付勢されているロック部７９ａ、７９ｂはその前部を通っているループ紐６４を押して左リール紐通し口２６、右リール紐通し口２７および左引出し口２３、右引出し口２４とであるいはいずれか一方を口とロック部とがずれることによる一種の噛み状態（挟み状態）にしてロックし、よって付勢巻取り回転を使用とするリール７６の回転がロックされ、その場所で係留状態にされる。
指で筐体６１ごと親指と人差し指でロック解除操作部６５を摘み該６５を人差し指で押し込むことにより、ロック部７９ａ、７９ｂが後方に移動してループ紐６４を該７９ａ、７９ｂが押える状態が解除される。ロック解除操作部６５を押し込んだままで、上方に移動させるとリール７６の付勢巻取り回転によりループ紐６４は自動的に巻き取られ、下方に移動させるとリール７６は巻取り付勢力に抗して送出し回転をして発条７７が巻かれる。
［００２２］
フック機構部７３は、ロック機構筐体部６９の下方内の左右に設けられた操作駒８０、８１と、操作駒８０、８１の外側部に設けられたロック機構筐体部６９の側部から外に突き出した押し込み部８２と、操作駒８０、８１の内側部に設けられた８０、８１と一体成形により形成されたスプリング８３と、操作駒８０、８１の下部に設けられた顎部７０から外に突き出したフック７２ａ、７２ｂと、スプリング８３、８３を受ける筐体６１と一体成形で設けられたスプリング受部８４とからなっている。
押し込み部８２、８２を押し込むとスプリング８３、８３に抗してフック部７２、７２は内側に移動し（携帯電話Ｋのフック掛け穴７１に出し入れできる状態）、押し込み部８２、８２の押し込みを止めるとスプリング８３、８３の押し出し付勢力によりフック部７２、７２は外側に移動しその状態（携帯電話Ｋのフック掛け穴７１のフックが掛った状態）が保持される。
携帯電話Ｋに取り付ける際には、先ず差込片７４を携帯電話Ｋの裏側に設けた片差込部８５に差し込んでからフック部７２、７２をフック掛け穴７１に嵌める。
［００２３］
＜第２６の実施の形態＞
図３７に示す本発明を実施するための第４の実施の形態において前記第２の実施の形態と主に異なる点は、付勢巻取り機構を右リール紐４６と同じものであるリール８６の１つとし、リール８６に筐体８７の外でループを形成する左リール紐８８ａと右リール紐８８ｂを重ね形態で巻き取ったロック機構付き付勢巻取り装置８９を形成した点にある。
ロック機構部９０、付勢巻取り機構部９１。
［００２４］
＜第２７の実施の形態＞
図３８、図３９に示す本発明を実施するための第５の実施の形態において９２はロック機構付き付勢巻取り装置であって、このロック機構付き付勢巻取り装置９２は筐体９３と、この筐体９３に内設されたリール９４と、このリール９４の内側に設けられた該９４を付勢巻取り回転させる内端を筐体９３に一体的に形成された発条固定軸１４に固定し外端をリール９４に固定してなる発条１０と、リール９４に重ね巻き取りされ筐体９３の外に引き出されてループを形成している平紐（平ベルト）形態の左リール紐９５ａ、右リール紐９５ｂと、この左リール紐９５ａ、右リール紐９５ｂをその平面側を抑え付けて移動を止めリール９４の回転をロック・ロック解除するロック機構部９６と、筐体９３の裏側に設けられた薄平板形態のクリップ９７とからなっている。
［００２５］
ロック機構部９６は、筐体９３の上方にあけられた開口部９８から一部を外に出してなる押し込みボタン形態のロック解除操作部９９と、このロック解除操作部９９の下方の左右に突出設けられた腕支持肩部１００、１００と、この腕支持肩部１００、１００に軸支され回動自在に設けられたへの字形状（Ｌの字形状でもよい）の腕部１０１、１０１と、ロック解除操作部９９内に収納された該ロック解除操作部９９を押し出し付勢状態にする付勢手段である圧縮コイルバネ１０２（その他、弾性ゴム製部材あるいあるいはジグザグバネなど多様な付勢手段がある）とからなり、通常状態では圧縮コイルバネ１０２の押し出し付勢力によりロック解除操作部９９および軸受け肩部１００、１００も前方に位置し、これに伴って腕支持肩部１００、１００とリンク機構を形成する腕部１０１、１０１の先端は外側に付勢位置して左リール紐９５ａ、右リール紐９５ｂを筐体９３の内壁に形成された凹部１０３、１０３に押し込み壁に押し当て挟持状態にして左リール紐９５ａ、右リール紐９５ｂの移動をロックし、それによりリール９４はロックされる。
摘んだ指でロック解除操作部９９を押し込むと腕部１０１、１０１の先端は内側に動いて左リール紐９５ａ、右リール紐９５ｂから離れそのロックを解除する。ロック解除操作部９９を摘み押し込んだまま上下に自在に移動させることができ、指を離すと圧縮コイルバネ１０２の付勢力により自動的にロック状態となる。
［００２６］
ロック解除操作部９９の下側には携帯電話Ｋを当てその取り付け位置を決めるための位置決め部１０４が設けられ、筐体９３の上部には該９３の頭部の中央を凹み形成してなる最大限に巻き込まれ張った左リール紐９５ａ、右リール紐９５ｂを指や爪で摘み易くするための凹部１０５が設けられている。
腕部１０１、１０１はロック解除操作部９９の押し込み可動によってリール紐９５ａ、右リール紐９５ｂから離れるとともに、ロック解除操作部９９の開放によって該ロック解除操作部９９は圧縮コイルバネ１０２によって付勢押し出し可動され、これに伴って腕部１０１、１０１はその先端を外側に可動させてリール紐９５ａ、右リール紐９５ｂを筐体６３の内壁に押し当てロックし、リール９４による付勢巻取りをロックする。
すなわち、腕部１０１、１０１はこのロック・ロック解除動作を実現すればよいのであって、その形状、形態あるいは機構は多様な形態を含むものである。
＜付記＞
［請求項１］
筐体と、
この筐体に内蔵された一対の平紐を付勢巻き取るリール本体と、
圧縮コイルバネ、弾性ゴム製部材あるいはジグザグバネなどの付勢手段により付勢状態とされるとともに、指で押し込み可動される前記筐体内あるいは該筐体外に設けられたロック解除操作部と、
このロック操作解除部に連動された先端部位が前記平紐の平面に当接押圧する当接押圧部位となっているリンク機構と、
前記筐体内あるいは該筐体外に設けられた前記当接押圧部位と対峙して前記平紐の平面を受け止める押圧受け部と、
前記当接押圧部位と前記押圧受け部の間に形成された、前記リール本体からの前記紐が引き出し向きを変えることなく通される紐ロック通り部とからなることを特徴とするロック機構付き付勢巻取り装置。
［００２７］
＜第２８の実施の形態＞
図４０、図４１に示す本発明を実施するための最良の第６の実施の形態において１０８はロック機構付き付勢巻取り装置であって、このロック機構付き付勢巻取り装置１０８は筐体１０９と、この筐体１０９の内部に設けられたリール９４と、このリール９４の内側に内設された該９４を付勢巻取り回転させる内端を筐体１０９に固定された発条固定軸１４に固定し外端をリール９４に固定してなる発条１０と、リール９４に巻き取られて筐体１０９の頂部中央の引き出し口１０７から該１０９の外に引き出されてなるリール紐１１０と、リール９４の上方に設けられたリール紐１１０を通し該１１０の移動とロックを行なうロック機構部１１１とからなっている。
リール紐１１０の先端にはクリップ１０６が設けられている。
［００２８］
ロック機構部１１１は、円形中空形態のその頭部を筐体１０９の表に空けられた開口部１１２から出すように設けられた押し込みボタン携帯のロック解除操作部１１３と、このロック解除操作部１１３の左右に設けられたスプリング受部１１４、１１４と、ロック解除操作部１１３に貫通されたリール紐１１０を通す紐通し部１１５と、スプリング受部１１４、１１４に支持されたロック解除操作部１１３を押し出し付勢状態にするスプリング１１６、１１６とからなっている。
通常、ロック解除操作部１１３はスプリング１１６、１１６に前方に向けて押し出し付勢状態にあるので、紐通し部１１５に通されているリール紐１１０は前方の持っていかれて、引き出し口１０７と紐通し部１１５はズレ状態となり、引き出し口１０７と紐通し部１１５で噛まれ挟まれた状態にされて移動できないロック状態にある。この状態ではリール９４もリール紐１１０の付勢引き状態でその回転がロックされた状態にある。
指で摘んでロック解除操作部１１３を指で押し込み操作すると、引き出し口１０７と紐通し部１１５は重なり状態となってそのロック状態は解除され、通されているリール紐１１０は移動が自在に行なえるようになる。ロック解除操作部１１３を指で押し込んだまま上下移動を自在に行なうことができ、指を離すとスプリング１１６、１１６の押し出し付勢力により自動的にロック状態となって、好みの位置に係留することが自在に行なえる。
［００２９］
図１３において、筐体１０９にカードケース１１７を接着して取り付けられ携帯補助具付き携帯品１１８を形成している。
カードケース１１７を筐体１０９のカバー側として形成することによりコスト低減を図ることができる。
［００３０］
＜第２９の実施の形態＞
図４２に示す本発明を実施するための最良の第７の実施の形態において前記第６の実施の形態と主に異なる点は、リール９４に左リール紐１２０ａと右リール紐１２０ｂを重ね巻きし筐体１０９外に引き出された部位でループ１２１を形成し、ロック機構部をロック機構部１２２としてなるロック機構付き付勢巻取り装置１２３を形成した点にある。
ロック機構部１２２は、筐体９４の開口部１１２から一部を出すように設けられた円形の押しボタン形態のロック解除操作部１２４と、このロック解除操作部１２４の指当て部１２７から後方に延びた中空の支柱部１２５と、この支柱部１２５の後部に設けられたロックフランジ部１２６と、ロック解除操作部１２４の指当て部１２７とロックフランジ部１２６の間に横凹形態に形成された紐通し部１２８、１２８と、支柱部１２５の中空部に一部を入れロック解除操作部１２４を押し出し付勢状態とする圧縮コイルバネ１２９と、筐体１０９に一体成形により設けられてなるロック解除操作部１２４を可動可能に収納する操作片収納部１３０と、この操作片収納部１３０に設けられた左リール紐１２０ａと右リール紐１２０ｂを通す紐通し部１３１、１３１、１３１、１３１とからなっている。
通常、ロック解除操作部１２４は圧縮コイルバネ１２９に前方に向けて押し出し付勢状態にあるので、紐通し部１２８、１２８に通されている左リール紐１２０ａと右リール紐１２０ｂは前方の持っていかれて、紐通し部１３１、１３１、１３１、１３１と紐通し部１２８、１２８はズレ状態となり、ロックフランジ部１２６と紐通し部１３１、１３１、１３１、１３１で噛まれ挟まれた状態にされて移動できないロック状態にある。この状態ではリール９４も左リール紐１２０ａと右リール紐１２０ｂの付勢引き状態のままその回転がロックされた状態にある。
指で摘んでロック解除操作部１２４を指で押し込み操作すると、紐通し部１３１、１３１、１３１、１３１と紐通し部１２８、１２８は重なり状態となってそのロック状態は解除され、通されているリール紐１１０は移動が自在に行なえるようになる。ロック解除操作部１２４を指で押し込んだまま上下移動を自在に行なうことができ、指を離すと圧縮コイルバネ１２９の押し出し付勢力により自動的にロック状態となって、好みの位置に係留することが自在に行なえる。
［００３１］
＜第３０の実施の形態＞
図４３に示す本発明を実施するための最良の第８の実施の形態において前記第７の実施の形態と主に異なる点は、筐体１０９の蓋になる部位をカードケース１３４としてなる携帯補助具付き携帯品１３５を形成してなる点にある。
コストを低減をはかれるとともに、接着して取り付ける形態よりも薄くできる。
［００３２］
＜第３１の実施の形態＞
図４４に示す本発明を実施するための最良の第9の実施の形態において１３８は携帯補助具付き携帯品であって、この携帯補助具付き携帯品１３８は折畳式携帯電話であって、携帯電話本体Bの後部側に前記第4の実施の形態のロック機構付き付勢巻取り装置８９のロック機構部９０と付勢巻取り機構部９１を内設したものであるとともに、携帯電話本体Bの上部をディスプレー部Dから上部にはみ出した携帯電話本体B本体よりも薄形態のはみ出し部１３９に形成し、このはみ出し部１３９にロック機構部９０およびそのロック解除操作部４３を設けた構成としたものである。
左リール紐８８ａと右リール紐８８ｂとで首に掛けるループ１４２を形成している。
ディスプレー部Dの表面には太陽電池パネル１４４が設けられ、光のあるところでは自動的にバッテリー１４０に充電がなされるようになっていて、ディスプレー部Dは略直角に開いたところで確りとした停止状態（それ以上開くことが容易にできる）になるようにヒンジー部１４１が構成されている。
ロック解除操作部４３を伸縮柔軟性シート部材などのカバーを設けて、内部に埃等が入らないようにするのがよい。
［００３３］
＜第３２の実施の形態＞
図４５に示す本発明を実施するための最良の第１０の実施の形態において前記第９の実施の形態と主に異なる点は、携帯電話本体Bの上部をディスプレー部Dから上部にはみ出した携帯電話本体B本体おなじ厚さのはみ出し部１４３に形成した携帯補助具付き携帯品１４４を形成した点にある。
［００３４］
＜第３３の実施の形態＞
図４６に示す本発明を実施するための最良の第１１の実施の形態において１４５は携帯補助具付き携帯品であって、この携帯補助具付き携帯品１４５はICカードなどのカードを収納するカード収納部１４６を有するカード本体１４７と、このカード本体１４７の上部に突出して設けられたはみ出し部１４８と、このはみ出し部１４８に設けられた前部にロック解除操作部１２４を位置させてなるロック機構部１２２と、カード本体１４７の裏に設けられた左右一対の左リール体１４９、右リール体１５０とからなる付勢巻取り機構部１５１と、左リール体１４９、右リール体１５０に付勢巻き取られ外に引き出され、ロック機構部１２２を通され、首に掛けるループ１５２を形成する左リール紐１５３ａ、右リール紐１５３ｂとからなっている。
左リール体１４９、右リール体１５０は筐体１５４と、この筐体１５４に収納された左リール紐１５３ａ、右リール紐１５３ｂを付勢巻取りするリール９４と、リール９４の内側に設けられた該９４を付勢巻取り回転させる内端を筐体１５４に一体的に形成された発条固定軸１４に固定し外端をリール９４に固定してなる発条１０とからなっている。
左リール体１４９、右リール体１５０はカード本体１４７に接着などにより固定されている。カード本体１４７を筐体１５４の蓋とする構成もよい。この場合カード本体１４７は筐体１５４とともにその筐体の構成部といえ、発条固定軸などの軸を設けることが可能である。
ロック機構部１２２の詳細は図１４を参照。
［００３５］
＜第３４の実施の形態＞
図４７に示す本発明を実施するための最良の第１２の実施の形態において前記第１１実施の形態と主に異なる点は、ロック機構部１２２をはみ出し部の１４８の前部に設け、ロック機構部１２２の下方ではみ出し部１４８に左リール紐１５３ａ、右リール紐１５３ｂを通し裏側にまわすための紐通し孔１５８を設けてなる携帯補助具付き携帯品１５９を形成した点にある。
［００３６］
＜第３５の実施の形態＞
図４８に示す本発明を実施するための最良の第１３の実施の形態において前記第１１実施の形態と主に異なる点は、ロック機構部を左リール４５、右巻取リール４６を横並びにした付勢巻取り機構部４２とし、ケース本体１６２を付勢巻取り機構部４２とロック機構部１２２を収納する筐体とした携帯補助具付き携帯品１６３を形成した点にある。
裏側にはワイシャツの胸ポケットなどに係止するための弱い付勢力のクリップ１６４が設けられている。
左リール４５も右リール４６と同じように発条１０を有する構成として、２つのリールがするのもよい。
ロック機構部１２２の詳細は図１４を参照。
【００３５】
＜付記０２＞
［請求項１］
ＩＣカード、名刺、薄型通信装置などのカード等を前部に収納あるいは取り付けるカード等保持部と、
このカード等保持部の後部に設けられたリール収納部と、
このリール収納部に設けられた発条などの付勢力により付勢巻取り回転するリールと、
このリールに付勢巻取状態で前記リール収納部外に引き出されるリール紐と、
前記カード等保持部の上方あるいは裏側に設けられた前記リールの付勢巻取り回転をロックするロック機構部と、
前記リールのロック状態を解除する前記ロック機構部の一部である、主に親指と人差し指で摘み押し込むことによって前記リールのロック状態を解除状態として、親指と人差し指で摘み押し込んだ状態では前記リール紐の自動巻取り引き込みと強制引出しという上下移動操作が自在に行えるとともに、指の該押し込みを止めると圧縮コイルバネや板羽などの付勢力により押し上げられて該リールの付勢回転をロックするロック解除ボタンとからなることを特徴とするロック機構付き付勢巻取り装置。
［請求項２］
リール紐が適当な間隔をあけて設けられた左引出し口、右引出し口から引き出される左リール紐、右リール紐の一対のリール紐であるとともに、該左リール紐、右リール紐によってあるいは該左リール紐、右リール紐を繋ぐ他の紐状部材とによって首にかけるループを形成することを特徴とする請求項１記載のロック機構付き付勢巻取り装置。
［請求項３］
ロック解除ボタンがカード等保持部の上部に該カード等保持部から突出して設けられ、ロック機構部によるリールの回転のロックがリール紐を付勢挟持することにより行われるようにしてなることを特徴とする請求項１、２いずれか記載のロック機構付き付勢巻取り装置。
［請求項４］
ロック解除ボタンがカード等保持部の裏側の上部でリールの上方に設けられてなることを特徴とする請求項１、２いずれか記載のロック機構付き付勢巻取り装置。
［請求項５］
リールおよびリール収納部をカード等保持部の下方に設けて、ロック解除機構およびロック解除ボタンをカード等保持部の上方に設けてなることを特徴とする請求項１、２、３いずれか記載のロック機構付き付勢巻取り装置。
［発明の名称］  ロック機構付き付勢巻取り装置
［技術分野］
［０００１］
本発明は、ＩＣカード、名刺、薄型通信装置などのカード等を首から吊るし携行したり、あるいは腰やバックに吊るし携行するのに適したロック機構付き付勢巻取り装置に関する。
［背景技術］
［０００２］
従来のロック機構付き付勢巻取り装置を有するネックストラップ装置には以下に述べるものがある。
（１）  特許文献１（実用新案登録第３０７０７８９号公報）に、リール収納部と、このリール収納部に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状の首掛けループを形成してなるリール紐（帯紐）と、リール収納部とリールの中央に設けられた、押すとロックが解除されて付勢巻取り状態となり離すとロックされてリールの回転が止められるようにしてなるロックボタン機構と、リール収納部の下部から下げられた携帯電話などを吊り下げるためのループ細紐（松葉）と、とからなるロック機構付き付勢巻取り装置の発明が開示されている。
（２）  特許文献２（特開平９−２９９１２８号公報）に、発条によりループリール紐を巻取り付勢状態とされた2つのリール（巻取りドラム）をロック・ロック解除するための機構として、リール収納部とリールの中央に指で抑えスライドさせるロック方向にバネ１０で常に押されているストッパー９が設けられたロック機構付き付勢巻取り装置の発明が開示されている。
（３）  特許文献３（特開２００６−５５６２７号公報）の図５１に、首掛けループを形成してなる一対の吊り紐（紐）を通し、その一対の吊り紐を付勢挟持してロックするロック機構を有し且つ指で摘みロック解除の内駒を押し込んでロックを解除し上下に移動自在とした移動係留体と、この移動係留体に四角形枠形態の掛け手段を下げ、その掛け手段に携帯電話を吊り下げ、移動係留体から下方にでた一対の吊り紐を掛け手段の中を通して携帯電話の裏に出すようにしてなる携帯品等の下げ具の発明が開示されている。
［０００３］
［特許文献１］実用新案登録第３０７０７８９号公報
［特許文献２］特開平９−２９９１２８号公報
［特許文献３］特開２００６−５５６２７号公報
［非特許文献１］特になし
［発明の開示］
［発明が解決しようとする課題］
［０００４］
上述した従来技術は、リール収納部とリールの中央にロック解除ボタンが設けられ、リール収納部の下部に細紐からなる携帯電話やカメラなどの携帯品を取り付けるループ細紐を有する形態であるので、付勢巻取り手段全体が携帯品の上方に位置するものであため次に述べるような欠点を有するものであった。
（１）  特許文献１、２の発明は、片手で自在に上げ下げができるのであるが、ネックストラップ形態での使用では、ロック機構付き付勢巻取り装置が非常に目立ってしまう、携帯品の最大上げ位置がロック機構付き付勢巻取り装置本体とループ細紐の分だけ下方になってしまう、すなわち首根っこからかなり下方（どんなに上げてもみぞおち当り）にしか上げられない、そのため携帯品の振れが大きくなってしまうという欠点を有するものであった。
（２）  特許文献１、２の発明は、リール収納部を大きくしてリールのリール紐の巻取り量を多くすることによって、リール紐の引き出し量を例えば携帯電話を持った腕を延ばしきって携帯電話をかざすことができるようにすることが考えられるが、ロック機構付き付勢巻取り装置は携帯品とは別対の該携帯品からは離れた位置となる露骨に見えるものであるので、リール及びリール収納部が大きくなりすぎて異様に目立ってしまうという欠点を有するものであった。
（３）  特許文献１、２の発明は、ズボンの腰ベルトやベルト通しやバックのベルトにリールから引き出されたリール紐を潜らせ取り付け携行する場合には次のような欠点を有するものであった。
｛１｝  取り付けた携帯電話をズボンのポケットに入れて携行する場合には携帯電話とリールはループ細紐によって繋がれた携帯電話がリールとは離れたブラブラ状態にあるので、片手で携帯電話とリールを同時に一体的に掴むことができず、したがって携帯電話を操作する際には左手で携帯電話を持ち右手でリールを摘みロック解除ボタンを押して携帯電話を引き上げ（リール紐を引き出す）るという、両手を使わなければならない（片手では操作できない）という欠点を有するものであった。
｛２｝  携帯電話とリールはループ細紐によって繋がれた少なくとも４ｃｍ以上は離れた形態であり、それにリールの長さが加わって９ｃｍ程度は携帯電話がベルトから離れた形態であるので、その分だけ携帯電話のポケットへの収納位置を好適なものにできない（特にジーパンなどのポケットが上方にあるもの）という欠点を有するものである
｛３｝  携帯電話を腰に単なる吊り状態で携行した場合、ベルトなどの吊り部分からリール＋ループ細紐という少なくとも９ｃｍ程度の吊り部分で携帯電話などの携帯品を吊り下げる状態となるので、携帯電話が歩行動作ごとなどに大きく振れてしまって携行性がとても悪い、常に携帯電話をループ細紐で吊り下げ振れ擦れ状態にあるので、ループ細紐が早期に擦れ傷んでしまうという欠点を有するものであった。
手提げないし肩掛けバックのベルトに下げ携行する場合も、上記と同じように９ｃｍ程度の吊り部分で携帯電話などの携帯品が大きく振れて不具合であるという欠点を有するものであった。
（４）  特許文献３の発明は、首根っこに近接する位置まで携帯電話を上げ係留して振れの小さな携行を実現するものであるが、上に上げるには吊り紐の下方を一方の手で摘み、他方の手で移動係留体を摘み内駒を押し込んでロックを解除して操作しなければならず、片手で上下移動操作を行なえないという欠点を有するものであった。
また、吊り紐が携帯電話の下方に垂れてしまうという欠点を有するものであった。
また、ズボンの腰や腰ベルト、バックのベルトにループ紐を巻き通し掛けた状態で吊っての使用では、両手で上げ下げ操作を行なわなくてはならない、スムーズな操作ができない、吊り紐が長く垂れてしまうという欠点を有するものであった。
［０００５］
本発明は以上のような従来技術の欠点に鑑みてなされたものであって、ロック機構付き付勢巻取り装置をまったく見えなくし、吊り下げた携帯品を首根っこに近接する高いところまで上げ係留でき且つ携帯品の上下移動が自在に行なえ好みの位置に止め係留することができるとともに、リールを見えない状態で大きくすることを可能とするロック機構付き付勢巻取り装置を提供することを目的としている。
［０００６］
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
［課題を解決するための手段］
［０００７］
上記目的を達成するために本発明は次に述べるような構成となっている。
（請求項１記載の発明）
ＩＣカード、名刺、薄型通信装置などのカード等を前部に収納あるいは取り付けるカード等保持部と、
このカード等保持部の後部に設けられたリール収納部と、
このリール収納部に設けられた発条などの付勢力により付勢巻取り回転するリールと、
このリールに付勢巻取状態で前記リール収納部外に引き出されるリール紐と、
前記カード等保持部の上方あるいは裏側に設けられた前記リールの付勢巻取り回転をロックするロック機構部と、
前記リールのロック状態を解除する前記ロック機構部の一部である、主に親指と人差し指で摘み押し込むことによって前記リールのロック状態を解除状態として、親指と人差し指で摘み押し込んだ状態では前記リール紐の自動巻取り引き込みと強制引出しという上下移動操作が自在に行えるとともに、指の該押し込みを止めると圧縮コイルバネや板羽などの付勢力により押し上げられて該リールの付勢回転をロックするロック解除ボタンとからなることを特徴とするロック機構付き付勢巻取り装置を構成している。
（請求項２記載の発明）
請求項１記載の発明の構成において、リール紐が適当な間隔をあけて設けられた左引出し口、右引出し口から引き出される左リール紐、右リール紐の一対のリール紐であるとともに、該左リール紐、右リール紐によってあるいは該左リール紐、右リール紐を繋ぐ他の紐状部材とによって首にかけるループを形成することを特徴とするロック機構付き付勢巻取り装置を構成している。
（請求項３記載の発明）
請求項１、２いずれか記載の発明の構成において、ロック解除ボタンがカード等保持部の上部に該カード等保持部から突出して設けられ、ロック機構部によるリールの回転のロックがリール紐を付勢挟持することにより行われるようにしてなることを特徴とする請求項１、２いずれか記載のロック機構付き付勢巻取り装置。
（請求項４記載の発明）
請求項１、２いずれか記載の発明の構成において、ロック解除ボタンがカード等保持部の裏側の上部でリールの上方に設けられてなることを特徴とするロック機構付き付勢巻取り装置を構成している。
（請求項５記載の発明）
請求項１、２、３いずれか記載の発明の構成において、リールおよびリール収納部をカード等保持部の下方に設けて、ロック解除機構およびロック解除ボタンをカード等保持部の上方に設けてなることを特徴とするロック機構付き付勢巻取り装置を構成している。
［発明の効果］
［０００８］
以上の説明から明らかなように、本発明にあっては次に列挙する効果が得られる。
（請求項１記載の発明の効果）
ＩＣカード、名刺、薄型通信装置などのカード等を前部に収納あるいは取り付けるカード等保持部と、
このカード等保持部の後部に設けられたリール収納部と、
このリール収納部に設けられた発条などの付勢力により付勢巻取り回転するリールと、
このリールに付勢巻取状態で前記リール収納部外に引き出されるリール紐と、
前記カード等保持部の上方あるいは裏側に設けられた前記リールの付勢巻取り回転をロックするロック機構部と、
（１）  前記リールのロック状態を解除する前記ロック機構部の一部である、主に親指と人差し指で摘み押し込むことによって前記リールのロック状態を解除状態として、親指と人差し指で摘み押し込んだ状態では前記リール紐の自動巻取り引き込みと強制引出しという上下移動操作が自在に行えるとともに、指の該押し込みを止めると圧縮コイルバネや板羽などの付勢力により押し上げられて該リールの付勢回転をロックするロック解除ボタンとからなることを特徴とするロック機構付き付勢巻取り装置であるので、
カード等保持部の後部にリール収納部を設けたので、リール収納部はカード等保持部に隠れて表側からはまったく見えない状態を実現し、カード保持部の略大きさのリールや横並びダブルリールを使用しても見えないので、大きなリールやダブルリールによって十分な引き出し長さを得ながら太いリール紐を使用したロック機構付き付勢巻取り装置を可能とするとともに、リールが携帯品の裏側に一体的に設けられる形態を実現するので、携帯品を首掛けの場合は首根っこの近接する位置まで上げ係留できる、バック等や腰ベルト等への装着では、バックや腰ベルトに近接する位置で係留できて振れの小さい携行を実現し、且つ、ポケットの中途や入り口に半分程度入れて係留するなど好みの位置に係留できるといいう効果を奏する。
（２）  リールがカード等保持部からはみ出る大きさや設置形態となっても、リール収納部がカード保持部からその一部をはみ出した形態となり、美観を大きく損なうことがないものであり、なにより、前記（１）の効果を弱めるものとはならないものである。
（３）好ましい形態としては、裏面が平ら状態のカード等保持部の後部側がリール収納部となっている形態がよい。裏側に突起がない平ら形態であるので、身体への当り感を感じさせないものにできる。
（４）  携帯電話やカードケース等の携帯品の裏側にリール収納部を隠す形態を実現するものであるので、携帯電話に隠れる目立たない範囲（はみ出る形態を技術的範疇外とするものではなく、はみ出る形態も技術的範疇にふくまれるものである。）でリール収納部およびリールを従来のものより遥かに大きいものにできる。すなわち、平紐形状のリール紐を重ね巻取り形態としたものでも、持った手を略のばしきって携帯電話をかざすことを、ロック機構付き付勢巻取り装置が目立たない形態で実現できるという効果を奏する。
また、リール紐がループ形態では腰ベルトにループ形態のリール紐をまき掛けて腰に携帯電話を吊り状態にした状態で、携帯電話を耳元まで余裕で引き上げ持ってくることができるリール紐の長さを実現することができる。
（５）  本発明は、引用文献１、２の有する片手で上下に自在に移動できるという利点と、引用文献３の首根っこに近接する位置まで上げ係留して振れの小さい携行ができるという利点の両方を実現するとともに、引用文献１、２の首根っこに近接する位置までカード等を上げ係留できないという欠点と、引用文献３の片手で上下操作ができない、吊り紐が下方に垂れるという欠点を解決するという効果を奏するものである。
（請求項２記載の発明の効果）
請求項１記載の発明の構成において、リール紐が適当な間隔をあけて設けられた左引出し口、右引出し口から引き出される左リール紐、右リール紐の一対のリール紐であるとともに、該左リール紐、右リール紐によってあるいは該左リール紐、右リール紐を繋ぐ他の紐状部材とによって首にかけるループを形成することを特徴とするロック機構付き付勢巻取り装置を構成しているので、
請求項１記載の発明の効果に加えて、首に掛けるネックストラップ形態を実現するという効果を奏する。
（請求項３記載の発明の効果）
請求項１、２いずれか記載の発明の構成において、ロック解除ボタンがカード等保持部の上部に該カード等保持部から突出して設けられ、ロック機構部によるリールの回転のロックがリール紐を付勢挟持することにより行われるようにしてなることを特徴とする請求項１、２いずれか記載のロック機構付き付勢巻取り装置を構成しているので、
請求項１、２いずれか記載の発明と同様な効果を奏するとともに、リール紐の付勢ロックであるので、微調節のできる形態を実現するとともに、リールは単なる発条とリールという従来からのシンプルな構成であるので低コストで故障しがたいものにできるという効果を奏する。
また、強く引っ張られた場合はリール筐体にロック機構を内臓されせたものは破損さる恐れが大きいのであるが、リール紐を付勢ロックしたものであるので、付勢状態あるヒール紐が移動するので破損が起きないという高耐久性を実現するという効果を奏する。
また、リール収納部（筐体）の裏側（カード等保持部の裏側を含む）にロック解除ボタンがない形態であるので、リール収納部の裏側に着衣のポケットや前合わせ部位に係止するクリップを設けたり、着衣のポケットや着衣の適宜な場所に設けたフック側面ファスナに係着するループ側面ファスナを設けたり、着衣の側に設けた磁石や磁着部材に磁着する磁着部材や磁石を設けたりすることが制約されずにできる。
（請求項４記載の発明の効果）
請求項１、２いずれか記載の発明の構成において、ロック解除ボタンがカード等保持部の裏側の上部でリールの上方に設けられてなることを特徴とするロック機構付き付勢巻取り装置であるので、
このような構成としても請求項１、２いずれか記載の発明と同様な効果を奏する。
（請求項５記載の発明の効果）
請求項１、２、３いずれか記載の発明の構成において、リールおよびリール収納部をカード等保持部の下方に設けて、ロック解除機構およびロック解除ボタンをカード等保持部の上方に設けてなるとを特徴とするロック機構付き付勢巻取り装置を構成しているので、
請求項１、２、３いずれか記載の発明の効果と同様な効果を奏するとともに、カード等保持部の厚みを薄くできるという効果を奏する。
［発明を実施するための最良の形態］
［０００９］
以下、図面に示す発明を実施するための最良の形態により、本発明を詳細に説明する。但し、本願発明をそれらにみに限定するものではない。また、実施の形態の説明にあたって同一構成部分には同じ符号を付与しその説明を省略する。
［００１０］
＜第３６の実施の形態＞
図４９〜図５１に示す本発明を実施するための最良の第1の実施の形態において１はロック機構付き付勢巻取り装置であって、このロック機構付き付勢巻取り装置は１は長方形のリール収納部２と、このリール収納部２の内部に設けられた付勢巻取り機構部３と、この付勢巻取り機構部３からリール収納部２外に引き出された左リール紐４ａ、右リール紐４ｂの一対のリール紐で外側でループを形成するループ紐４と、付勢巻取り機構部３の上方に設けられた付勢巻取り機構部３の付勢回転を左リール紐４ａ、右リール紐４ｂを付勢挟持（噛み挟持）してロック状態とし且つ摘んだ指で押え押し込んでロック状態を解除する押し込みボタン形態のロック解除ボタン５をリール収納部２の外に突出させたロック機構部６とからなっている。
［００１１］
付勢巻取り機構部３は、外周を歯車形態にした左リール紐８と、外周を歯車形態にした右リール紐９と、左リール紐８と右リール紐９の間に設けられた該８と該９の歯車に噛み合う歯車を外周に有する内部に巻取り付勢力であ発条１０を内設した付勢回転体１１とからなっている。
左リール紐８はリール収納部２に一体的に形成されたリール軸１２に回転フリーに軸支され、右リール紐９はリール収納部２に一体的に形成されたリール軸１３に回転フリーに軸支され、付勢回転体１１の発条１０の内側先端はリール収納部２に一体的に形成された発条固定軸１４に固定され、発条１０の外側先端は付勢回転体１１に固定され、付勢回転体１１は発条固定軸１４に回転可能に軸支されている。
［００１２］
ロック機構部６は、横長の頭部１７、該１７と同形状のロック部１８、頭部１７とロック部１８の間の左右に設けられた空間からなる左リール紐４ａ、右リール紐４ｂを通す紐通し部１９、中央に設けられた圧縮コイルバネ２０を入れるためのコイル入れ部２１とからなる横長の押しボタン形態であるロック解除ボタン５と、リール収納部２内にセットしたロック解除ボタン５の頭部１７の一部をリール収納部２外に露出させるリール収納部２の表面上方（右リール紐９の上方）に設けられた開口部２２と、リール収納部２の上部に離して設けられた紐通し部１９を通された左リール紐４ａをリール収納部２の外に引き出するための左引出し口２３、右リール紐４ｂを引き出するための右引出し口２４と、開口部２２の直ぐ下方に設けられたリール収納部２と一体成形により設けられた紐通し口形成体２５と、この紐通し口形成体２５の左右に設けられた紐通し部１９を通す左リール紐４ａを通す左リール紐通し口２６、右リール紐４ｂを通す右リール紐通し口２７とからなっている。
ロック解除ボタン５はフリー状態では圧縮コイルバネ２０の押し出し付勢力により押し出し付勢状態にあって、この押し出し付勢状態では左リール紐４ａ、右リール紐４ｂはロック部１８と左引出し口２３、右引出し口２４、左リール紐通し口２６、右リール紐通し口２７に挟み付けられたロック状態となっていて、左リール紐８、右リール紐９および付勢回転体１１の回転もロック状態となっている。
親指をリール収納部２の裏側に当て人差し指をロック解除ボタン５に当て摘み状態として、ロック解除ボタン５を押し込むとロック部１８は後に移動してリール紐のロック状態が解除され、ロック解除ボタン５を押し込み摘んだままの状態で上下に自在に移動させることができる。下げるときは発条１０の巻取り付勢力に抗して、上げるときは発条１０および付勢回転体１１による左リール紐８と右リール９の付勢回転による巻き込みによって、上下移動が素早く軽快に行なえる。
ロック解除ボタン５の押し込みを止めると圧縮コイルバネ２０の付勢力によりロック部１８が前方に移動して左引出し口２３、右引出し口２４、左リール紐通し口２６、右リール紐通し口２７に挟み付けられたロック状態とし、好みの位置で止め係留状態とすることができる。
ロック部１８と左引出し口２３、右引出し口２４、左リール紐通し口２６、右リール紐通し口２７との間の隙間はリール紐の太さよりも狭くなっており、できる限る近接しているのが良い。
［００１３］
リール収納部２の左引出し口２３、右引出し口２４の直ぐ内側には紐受突起２８、２９が設けられ、ループ紐４が目いっぱい巻き込まれた状態でリール収納部２との間に指でループ紐４を摘み易くするための隙間が形成されるようになっている。
ループ紐４を目いっぱいに巻き取った状態において、リール収納部２の外で例えばハンドストラップとなるループを描くようにするのもよい。この場合、紐受突起２８、２９は必要がない。
リール収納部２の表部には携帯電話Ｋの裏側に設けたループ面ファスナ３０に係着させるフック面ファスナ３１が設けられ、リール収納部２の裏部にはループ面ファスナ３２が設けられている。
リール収納部２の下部には、携帯電話Ｋに取り付けた細吊り紐３３の丸環３４を取り付けるための紐掛け部３５が設けられ、ロック機構付き付勢巻取り装置１に取り付けた携帯電話Ｋが外れても紐掛け部３５によって地面への落下が阻止されるようになっている。
リール収納部２内部には左リール紐４ａ、右リール紐４ｂを案内する紐案内コロ３６ａ、３６ｂ、３６ｃが適宜設けられている。
付勢巻取り機構部３のリール収納部位に対してロック機構部６のリール収納部位は、ロック機構部６が前方に突出した厚みのある形態となっていて、その段差が顎部３７となって携帯電話Ｋを取り付ける際の当て部（位置決め部）としての役割をはたすようになっている。また、ロック機構部６を厚みのある前後に中空距離の長い形態としたことにより、ロック機構部６を形成しやすくするとともに、携帯電話Ｋの裏側にセットされる付勢巻取り機構部３側を薄い形態にできる。
左リール紐８、右リール紐９、付勢回転体１１の並べ順は付勢回転体１１が一番上でも一番下でも、左リール紐８、右リール紐９のいずれが上方に位置してもかまわず、また横並びとしても横長のカードケースやＩＣカードなどではよいなど多様な並び形態がある。
ループ面ファスナ３２に変えてクリップを設けるのも良い。クリップは向きを立て横に変えることができるものがよい。
［００１４］
ロック機構付き付勢巻取り装置１を携帯電話やカードケースなどに接着剤やネジで一体化してなる携帯補助具付き携帯品を形成するのもよい。
ロック機構付き付勢巻取り装置１の付勢巻取り機構部３およびロック機構部６を携帯電話などの携帯品に内設してなる携帯補助具付き携帯品を形成するのもよい。
リール収納部にカードケースを一体成形により設けてなる携帯補助具付き携帯品を形成するのもよい。
以下に述べるロック機構付き付勢巻取り装置の実施の形態においては、上記のようにすることにより携帯補助具付き携帯品を形成する携帯補助具付き携帯品を形成することを実施の形態の１つとするものであり、以下においてはその説明を省略する。
［００１５］
＜第３７の実施の形態＞
図５２、図５３に示す本発明を実施するための最良の第２の実施の形態において４０はロック機構付き付勢巻取り装置であって、このロック機構付き付勢巻取り装置４０はリール収納部４１と、このリール収納部４１の内部に設けられた付勢巻取り機構部４２と、この付勢巻取り機構部４２からリール収納部４１外に引き出された左リール紐４ａ、右リール紐４ｂと、付勢巻取り機構部４２の上方に設けられた付勢巻取り機構部４２の付勢回転をロック状態とし且つ摘んだ指で押え押し込んでロック状態を解除する押し込みボタン形態のロック解除ボタン４３をリール収納部４１の外に開口部３９から露出させたロック機構部４４とからなっている。
［００１６］
付勢巻取り機構部４２は外周を歯車形態にした左リール紐４５と、該４５と歯車を噛み合わせた外周を歯車形態にした左リール紐４５と、右リール紐４６を付勢回転体にする該４６に内設された発条１０とからなっている。
左リール紐４５はリール収納部４１に一体的に形成されたリール軸１２に回転フリーに軸支され、右リール紐４６はリール収納部４１に一体的に形成された発条固定軸１４に回転可能に軸支され、発条１０の内側先端は発条固定軸１４に固定され、発条１０の外側先端は右リール紐４６に固定されている。
左リール紐４５を右リール紐４６と同じように発条１０を備えた構成として、２つのリールがそれぞれ付勢巻取り回転するようにするのもよい。
［００１７］
ロック機構部４４は、円形のロック解除ボタン４３と、このロック解除ボタン４３の左右に突出形成された回転阻止突起４７ａ、４７ｂと、ロック解除ボタン４３の下部に突出設けられた右リール紐４６の歯車に噛み合わさるロック突起４８と、ロック解除ボタン４３、回転阻止突起４７ａ、４７ｂが嵌るリール収納部４１に一体的形成されてなる操作部支持部４９と、ロック解除ボタン４３の内側に入れられた該４３を押し出し付勢している圧縮コイルバネ２０とからなっている。
右リール紐４６の歯車５０は一対のフランジの前方フランジに形成されており、ロック突起４８は歯車５０のフランジの厚みより少し厚めであって、後方に移動できる空間を有している。
通常はロック解除ボタン４３は圧縮コイルバネ２０により外側に押し出し付勢状態となっているので、ロック突起４８は最前方に位置されて歯車５０に噛み合い状態であるロック状態となっている。
指でロック解除ボタン４３を押し込むとロック突起４８は後方に移動して歯車５０外に位置しロック解除状態となる。ロック解除ボタン４３を押し込んだまま、片手のみで上下移動を素早く簡単・軽快に行なうことができる。ロック解除ボタン４３の押し込みを止めるとロック状態となりその場所で係留状態となる。
［００１８］
リール収納部４１の左右にはリール収納部４１の表面を同じにしてなるフランジ５１ａ、５１ｂが設けられている。
携帯電話Ｋの裏側には、フランジ５１ａ、５１ｂを下方から嵌め込む携行補助具取付部５２ａ、５２ｂが設けられている。
リール収納部４１の外に出されている左リール紐４ａ（第１のリール紐）の先端には２ｋｇ以上の引張りがあると外れる着脱パーツ５３の雄パーツ５５（第１のリール紐側着脱パーツ）が取り付けられ、右リール紐４ｂ（第２のリール紐）の先端には着脱パーツ５３の雌パーツ５６（第２のリール紐側着脱パーツ）が取り付けられていて、一方の端に着脱パーツ５３の雌パーツ５６（第１の平紐側着脱パーツ）を取り付け他方の端に着脱パーツ５３の雄パーツ５５（第２の平紐側着脱パーツ）を取り付けてなる１０ｍｍ〜１５ｍｍ幅の平紐５４が連結され、首掛けループ５７を形成している。
平紐５４を取り付けて首掛けループ５７を形成して首に掛け下げての平紐による当りの弱い首に優しい携行を実現するとともに、平紐５４を外して、左リール紐４ａの雄パーツ５５と右リール紐４ｂの雌パーツ５６を連結してループを形成して、ズボンの腰ベルトやバンド通し部、バックのベルトにループをまわし通し掛けて状態として携帯電話等を吊り携行するときに、吊りの短く振れの小さい携行を実現し吊り紐が邪魔にならない携行という、２つの携行形態を実現するとういう効果を奏する。
また、リール紐を全部リールに巻取り収納した状態においては、左リール紐と右リール紐を連結したループ状態とすることにより、着脱パーツ５３が立たない見た目の良い形態を実現するという効果を奏する。
平紐５４はソフトゴム平紐とするのがクッション性の優しく負荷の感じ方が優しいものとできるのでよい。
着脱パーツはリングと丸環（開口が開閉する）などの他のパーツによるものも技術的範疇に含まれるものである。
左リール紐４５と右リール紐４６は横並びとする形態もよい。
リール収納部４１を携帯電話のバッテリカバーとするのもよい。この場合は携帯補助具付き携帯品を形成する。
［００１９］
＜第３８の実施の形態＞
図５４〜図５６に示す本発明を実施するための最良の第３の実施の形態において６０はロック機構付き付勢巻取り装置であって、ロック機構付き付勢巻取り装置６０はリール収納部６１と、このリール収納部６１の内部に設けられた付勢巻取り機構部６２と、この付勢巻取り機構部６２からリール収納部６１外に引き出された左リール紐６３ａ、右リール紐６３ｂの一対の平紐で首掛けループを形成するループ紐６４と、付勢巻取り機構部６２の上方に設けられた付勢巻取り機構部６２の付勢回転をロック状態とし且つ摘んだ指で押え押し込んでロック状態を解除する押し込みボタン形態のロック解除ボタン６５をリール収納部６１の外に開口部６６から露出させたロック機構部６７と、リール収納部６１の付勢巻取り機構部６２を収納している巻取り機構リール収納部６８と、リール収納部６１のロック機構部６７を収納してなる巻取り機構リール収納部６８よりも前方に突出してなるロック機構リール収納部６９と、巻取り機構リール収納部６８とロック機構リール収納部６９に境に形成された顎部７０と、この顎部７０から突出された携帯電話Ｋの首から吊り下げた状態で見て携帯電話本体Ｂの頂部に設けられたフック掛け穴７１に嵌合掛けるフック部７２、７２を有するフック機構部７３と、リール収納部６１の下部に立ち下げられた差込片７４とからなっている。
［００２０］
付勢巻取り機構部６２は、リール収納部６１と一体成形により設けられた発条固定軸７５に回転自在に取り付けられた一対にフランジを有するリール７６と、このリール７６に内設され内端を発条固定軸７５に固定し外端をリール７６に固定して、リール７６を付勢巻取り回転状態にする発条７７と、ループ紐６４を案内する案内コロ７８ａ、７８ｂ、７８ｃ、７８ｄとからなっている。
［００２１］
ロック機構部６７は、円形ボタン形態のロック解除ボタン６５と、この円形ボタン形態のロック解除ボタン６５の下部の左右に突出するように設けられた板状のロック部７９ａ、７９ｂと、ロック解除ボタン６５の下方に該６５に隣接してリール収納部６１に固定設けられた紐通し口形成体２５と、ロック解除ボタン６５に入れられ該６５を押し出し付勢状態としている圧縮コイルバネ２０とからなっている。
通常の状態では圧縮コイルバネ２０の押し出し付勢されているロック部７９ａ、７９ｂはその前部を通っているループ紐６４を押して左リール紐通し口２６、右リール紐通し口２７および左引出し口２３、右引出し口２４とであるいはいずれか一方を口とロック部とがずれることによる一種の噛み状態（挟み状態）にしてロックし、よって付勢巻取り回転を使用とするリール７６の回転がロックされ、その場所で係留状態にされる。
指でリール収納部６１ごと親指と人差し指でロック解除ボタン６５を摘み該６５を人差し指で押し込むことにより、ロック部７９ａ、７９ｂが後方に移動してループ紐６４を該７９ａ、７９ｂが押える状態が解除される。ロック解除ボタン６５を押し込んだままで、上方に移動させるとリール７６の付勢巻取り回転によりループ紐６４は自動的に巻き取られ、下方に移動させるとリール７６は巻取り付勢力に抗して送出し回転をして発条７７が巻かれる。
［００２２］
フック機構部７３は、ロック機構リール収納部６９の下方内の左右に設けられた操作駒８０、８１と、操作駒８０、８１の外側部に設けられたロック機構リール収納部６９の側部から外に突き出した押し込み部８２と、操作駒８０、８１の内側部に設けられた８０、８１と一体成形により形成されたスプリング８３と、操作駒８０、８１の下部に設けられた顎部７０から外に突き出したフック７２ａ、７２ｂと、スプリング８３、８３を受けるリール収納部６１と一体成形で設けられたスプリング受部８４とからなっている。
押し込み部８２、８２を押し込むとスプリング８３、８３に抗してフック部７２、７２は内側に移動し（携帯電話Ｋのフック掛け穴７１に出し入れできる状態）、押し込み部８２、８２の押し込みを止めるとスプリング８３、８３の押し出し付勢力によりフック部７２、７２は外側に移動しその状態（携帯電話Ｋのフック掛け穴７１のフックが掛った状態）が保持される。
携帯電話Ｋに取り付ける際には、先ず差込片７４を携帯電話Ｋの裏側に設けた片差込部８５に差し込んでからフック部７２、７２をフック掛け穴７１に嵌める。
［００２３］
＜第３９の実施の形態＞
図５７に示す本発明を実施するための第４の実施の形態において前記第２の実施の形態と主に異なる点は、付勢巻取り機構を右リール紐４６と同じものであるリール８６の１つとし、リール８６にリール収納部８７の外でループを形成する左リール紐８８ａと右リール紐８８ｂを重ね形態で巻き取ったロック機構付き付勢巻取り装置８９を形成した点にある。
ロック機構部９０、付勢巻取り機構部９１。
［００２４］
＜４０の実施の形態＞
図５８、図５９に示す本発明を実施するための第５の実施の形態において９２はロック機構付き付勢巻取り装置であって、このロック機構付き付勢巻取り装置９２はリール収納部９３と、このリール収納部９３に内設されたリール９４と、このリール９４の内側に設けられた該９４を付勢巻取り回転させる内端をリール収納部９３に一体的に形成された発条固定軸１４に固定し外端をリール９４に固定してなる発条１０と、リール９４に重ね巻き取りされリール収納部９３の外に引き出されてループを形成している左リール紐９５ａ、右リール紐９５ｂと、この左リール紐９５ａ、右リール紐９５ｂを抑え付けて移動を止めリール９４の回転をロック・ロック解除するロック機構部９６と、リール収納部９３の裏側に設けられた薄平板形態のクリップ９７とからなっている。
［００２５］
ロック機構部９６は、リール収納部９３の上方にあけられた開口部９８から一部を外に出してなる押し込みボタン形態のロック解除ボタン９９と、このロック解除ボタン９９の下方の左右に突出設けられた腕支持肩部１００、１００と、この腕支持肩部１００、１００に軸支され回動自在に設けられたへの字形状の腕部１０１、１０１と、ロック解除ボタン９９内に収納された該９９を押し出し付勢状態にする圧縮コイルバネ１０２とからなり、通常状態では圧縮コイルバネ１０２の押し出し付勢力によりロック解除ボタン９９および軸受け肩部１００、１００も前方に位置し、これに伴って腕支持肩部１００、１００とリンク機構を形成する腕部１０１、１０１の先端は外側に付勢位置して左リール紐９５ａ、右リール紐９５ｂをリール収納部９３の内壁に形成された凹部１０３、１０３に押し込み壁に押し当て挟持状態にして左リール紐９５ａ、右リール紐９５ｂの移動をロックし、それによりリール９４はロックされる。
摘んだ指でロック解除ボタン９９を押し込むと腕部１０１、１０１の先端は内側に動いて左リール紐９５ａ、右リール紐９５ｂから離れそのロックを解除する。ロック解除ボタン９９を摘み押し込んだまま上下に自在に移動させることができ、指を離すと圧縮コイルバネ１０２の付勢力により自動的にロック状態となる。
［００２６］
ロック解除ボタン９９の下側には携帯電話Ｋを当てその取り付け位置を決めるための位置決め部１０４が設けられ、リール収納部９３の上部には該９３の頭部の中央を凹み形成してなる最大限に巻き込まれ張った左リール紐９５ａ、右リール紐９５ｂを指や爪で摘み易くするための凹部１０５が設けられている。
［００２７］
＜第４１の実施の形態＞
図６０、図６１に示す本発明を実施するための最良の第６の実施の形態において１０８はロック機構付き付勢巻取り装置であって、このロック機構付き付勢巻取り装置１０８はリール収納部１０９と、このリール収納部１０９の内部に設けられたリール９４と、このリール９４の内側に内設された該９４を付勢巻取り回転させる内端をリール収納部１０９に固定された発条固定軸１４に固定し外端をリール９４に固定してなる発条１０と、リール９４に巻き取られてリール収納部１０９の頂部中央の引き出し口１０７から該１０９の外に引き出されてなるリール紐１１０と、リール９４の上方に設けられたリール紐１１０を通し該１１０の移動とロックを行なうロック機構部１１１とからなっている。
リール紐１１０の先端にはクリップ１０６が設けられている。
［００２８］
ロック機構部１１１は、円形中空形態のその頭部をリール収納部１０９の表に空けられた開口部１１２から出すように設けられた押し込みボタン携帯のロック解除ボタン１１３と、このロック解除ボタン１１３の左右に設けられたスプリング受部１１４、１１４と、ロック解除ボタン１１３に貫通されたリール紐１１０を通す紐通し部１１５と、スプリング受部１１４、１１４に支持されたロック解除ボタン１１３を押し出し付勢状態にするスプリング１１６、１１６とからなっている。
通常、ロック解除ボタン１１３はスプリング１１６、１１６に前方に向けて押し出し付勢状態にあるので、紐通し部１１５に通されているリール紐１１０は前方の持っていかれて、引き出し口１０７と紐通し部１１５はズレ状態となり、引き出し口１０７と紐通し部１１５で噛まれ挟まれた状態にされて移動できないロック状態にある。この状態ではリール９４もリール紐１１０の付勢引き状態でその回転がロックされた状態にある。
指で摘んでロック解除ボタン１１３を指で押し込み操作すると、引き出し口１０７と紐通し部１１５は重なり状態となってそのロック状態は解除され、通されているリール紐１１０は移動が自在に行なえるようになる。ロック解除ボタン１１３を指で押し込んだまま上下移動を自在に行なうことができ、指を離すとスプリング１１６、１１６の押し出し付勢力により自動的にロック状態となって、好みの位置に係留することが自在に行なえる。
［００２９］
図６１において、リール収納部１０９にカードケース１１７を接着して取り付けられ携帯補助具付き携帯品１１８を形成している。
カードケース１１７をリール収納部１０９のカバー側として形成することによりコスト低減を図ることができる。
［００３０］
＜第４２の実施の形態＞
図６２に示す本発明を実施するための最良の第７の実施の形態において前記第６の実施の形態と主に異なる点は、リール９４に左リール紐１２０ａと右リール紐１２０ｂを重ね巻きしリール収納部１０９外に引き出された部位でループ１２１を形成し、ロック機構部をロック機構部１２２としてなるロック機構付き付勢巻取り装置１２３を形成した点にある。
ロック機構部１２２は、リール収納部９４の開口部１１２から一部を出すように設けられた円形の押しボタン形態のロック解除ボタン１２４と、このロック解除ボタン１２４の指当て部１２７から後方に延びた中空の支柱部１２５と、この支柱部１２５の後部に設けられたロックフランジ部１２６と、ロック解除ボタン１２４の指当て部１２７とロックフランジ部１２６の間に横凹形態に形成された紐通し部１２８、１２８と、支柱部１２５の中空部に一部を入れロック解除ボタン１２４を押し出し付勢状態とする圧縮コイルバネ１２９と、リール収納部１０９に一体成形により設けられてなるロック解除ボタン１２４を可動可能に収納する操作片収納部１３０と、この操作片収納部１３０に設けられた左リール紐１２０ａと右リール紐１２０ｂを通す紐通し部１３１、１３１、１３１、１３１とからなっている。
通常、ロック解除ボタン１２４は圧縮コイルバネ１２９に前方に向けて押し出し付勢状態にあるので、紐通し部１２８、１２８に通されている左リール紐１２０ａと右リール紐１２０ｂは前方の持っていかれて、紐通し部１３１、１３１、１３１、１３１と紐通し部１２８、１２８はズレ状態となり、ロックフランジ部１２６と紐通し部１３１、１３１、１３１、１３１で噛まれ挟まれた状態にされて移動できないロック状態にある。この状態ではリール９４も左リール紐１２０ａと右リール紐１２０ｂの付勢引き状態のままその回転がロックされた状態にある。
指で摘んでロック解除ボタン１２４を指で押し込み操作すると、紐通し部１３１、１３１、１３１、１３１と紐通し部１２８、１２８は重なり状態となってそのロック状態は解除され、通されているリール紐１１０は移動が自在に行なえるようになる。ロック解除ボタン１２４を指で押し込んだまま上下移動を自在に行なうことができ、指を離すと圧縮コイルバネ１２９の押し出し付勢力により自動的にロック状態となって、好みの位置に係留することが自在に行なえる。
［００３１］
＜第４３の実施の形態＞
図６３に示す本発明を実施するための最良の第８の実施の形態において前記第７の実施の形態と主に異なる点は、リール収納部１０９の蓋になる部位をカードケース１３４としてなる携帯補助具付き携帯品１３５を形成してなる点にある。
コストを低減をはかれるとともに、接着して取り付ける形態よりも薄くできる。
［００３２］
＜第４４の実施の形態＞
図６４に示す本発明を実施するための最良の第9の実施の形態において１３８は携帯補助具付き携帯品であって、この携帯補助具付き携帯品１３８は折畳式携帯電話であって、携帯電話本体Bの後部側に前記第4の実施の形態のロック機構付き付勢巻取り装置８９のロック機構部９０と付勢巻取り機構部９１を内設したものであるとともに、携帯電話本体Bの上部をディスプレー部Dから上部にはみ出した携帯電話本体B本体よりも薄形態のはみ出し部１３９に形成し、このはみ出し部１３９にロック機構部９０およびそのロック解除ボタン４３を設けた構成としたものである。
左リール紐８８ａと右リール紐８８ｂとで首に掛けるループ１４２を形成している。
ディスプレー部Dの表面には太陽電池パネル１４４が設けられ、光のあるところでは自動的にバッテリー１４０に充電がなされるようになっていて、ディスプレー部Dは略直角に開いたところで確りとした停止状態（それ以上開くことが容易にできる）になるようにヒンジー部１４１が構成されている。
ロック解除ボタン４３を伸縮柔軟性シート部材などのカバーを設けて、内部に埃等が入らないようにするのがよい。
［００３３］
＜第４５の実施の形態＞
図６５に示す本発明を実施するための最良の第１０の実施の形態において前記第９の実施の形態と主に異なる点は、携帯電話本体Bの上部をディスプレー部Dから上部にはみ出した携帯電話本体B本体おなじ厚さのはみ出し部１４３に形成した携帯補助具付き携帯品１４４を形成した点にある。
［００３４］
＜第４６の実施の形態＞
図６６に示す本発明を実施するための最良の第１１の実施の形態において１４５は携帯補助具付き携帯品であって、この携帯補助具付き携帯品１４５はICカードなどのカードを収納するカード収納部１４６を有するカード本体１４７と、このカード本体１４７の上部に突出して設けられたはみ出し部１４８と、このはみ出し部１４８に設けられた前部にロック解除ボタン１２４を位置させてなるロック機構部１２２と、カード本体１４７の裏に設けられた左右一対の左リール体１４９、右リール体１５０とからなる付勢巻取り機構部１５１と、左リール体１４９、右リール体１５０に付勢巻き取られ外に引き出され、ロック機構部１２２を通され、首に掛けるループ１５２を形成する左リール紐１５３ａ、右リール紐１５３ｂとからなっている。
左リール体１４９、右リール体１５０はリール収納部１５４と、このリール収納部１５４に収納された左リール紐１５３ａ、右リール紐１５３ｂを付勢巻取りするリール９４と、リール９４の内側に設けられた該９４を付勢巻取り回転させる内端をリール収納部１５４に一体的に形成された発条固定軸１４に固定し外端をリール９４に固定してなる発条１０とからなっている。
左リール体１４９、右リール体１５０はカード本体１４７に接着などにより固定されている。カード本体１４７をリール収納部１５４の蓋とする構成もよい。この場合カード本体１４７はリール収納部１５４とともにそのリール収納部の構成部といえ、発条固定軸などの軸を設けることが可能である。
ロック機構部１２２の詳細は図１４を参照。
［００３５］
＜第４７の実施の形態＞
図６７に示す本発明を実施するための最良の第１２の実施の形態において前記第１１実施の形態と主に異なる点は、ロック機構部１２２をはみ出し部の１４８の前部に設け、ロック機構部１２２の下方ではみ出し部１４８に左リール紐１５３ａ、右リール紐１５３ｂを通し裏側にまわすための紐通し孔１５８を設けてなる携帯補助具付き携帯品１５９を形成した点にある。
［００３６］
＜第４８の実施の形態＞
図６８に示す本発明を実施するための最良の第１３の実施の形態において前記第１１実施の形態と主に異なる点は、ロック機構部を左リール４５、右巻取リール４６を横並びにした付勢巻取り機構部４２とし、ケース本体１６２を付勢巻取り機構部４２とロック機構部１２２を収納するリール収納部とした携帯補助具付き携帯品１６３を形成した点にある。
裏側にはワイシャツの胸ポケットなどに係止するための弱い付勢力のクリップ１６４が設けられている。
左リール４５も右リール４６と同じように発条１０を有する構成として、２つのリールがするのもよい。
ロック機構部１２２の詳細は図１４を参照。
［００３７］
＜第４９の実施の形態＞
図６９に示す本発明を実施するための最良の第１４の実施の形態において１７０はロック機構付き付勢巻取り装置であって、このロック機構付き付勢巻取り装置１はＩＣカード、名刺、薄型通信装置などのカード等を収納するカード等収納部１７１を前部に有してなる四角形のカード等保持部１７２と、このカード等保持部１７２の後部（裏側に）に接着された設けられた筐体からなるリール収納部１７３と、このリール収納部１７３の上部に１０ｍｍ以上の間隔で設けられた左引出し口１７４、右引出し口１７５と、リール収納部１７３に設けられた発条などの付勢力により付勢巻取り回転するリール１７６と、このリール１７６に重ね巻き取られて付勢巻取状態で左引出し口１７４、右引出し口１７５からリール収納部１７３外に引き出され先端がつながれてループ１７７を形成する左リール紐１７８、右リール紐１７９と、カード等保持部１７２の裏側であるリール収納部１７３に設けられたリール１７６の付勢巻取り回転をロックするロック機構部１８０と、リール１７６のロック状態を解除するロック機構部１８０の一部である、親指と人差し指で摘み押し込むことによってリール１７６のロック状態を解除状態として、親指と人差し指で摘み押し込んだ状態では左リール紐１７８、右リール紐１７９の自動巻取り引き込みと強制引出しという上下移動操作が自在に行えるとともに、指の該押し込みを止めると圧縮コイルバネ（図示せず）の付勢力により押し上げられて該リール１７６の付勢回転をロックするロック解除ボタン１８１と、リール収納部１７３の裏側ロック解除ボタン１８１の上方に設けられたループ側面ファスナ１８３とからなっている。
着衣の胸ポケットや前合わせに取り付けたフック側面ファスナにループ側面ファスナ１８３を係着させておくことができる。
［００３８］
ロック機構部１８０はリール１７６の中央に貫通孔形態に形成された中空部と、この中空部の位置するリール収納部１７３の部位にあけられた開口部１８２と、前記中空部の内端を内側に突出させるように形成された複数の内向き噛み合い突起と、ロック解除ボタン１８１の内側端の外側に突出させるように形成された前記内向き噛み合い突起と噛み合う複数の外向き噛み合い突起と、開口部１８２の内側に形成されたロック解除ボタン１８１の突起が嵌り該１８１の回転をロックする凹み部と、リール１７６の前記中空部に収納されたロック解除ボタン１８１を押し出し付勢する圧縮コイルバネとからなっている。
ロック解除ボタン１８１を押し込み移動させると、外向き噛み合い突起は内向き噛み合い突起の奥川に移動してその噛み合いが解除されてリール１７６は付勢巻取り回転状態となって、ロック解除ボタン１８１を押し込んだまま腕を伸ばすとリール１７６は強制回転させられて左リール紐１７８、右リール紐１７９を引き出し延ばしてカード等保持部１７２を離し移動させ、腕を縮めるとそれに応じてリール１７６は付勢巻取り回転して左リール紐１７８、右リール紐１７９を自動的に巻き取る。
ロック解除ボタン１８１の押し込みを止めると（指を離すか緩める）、圧縮コイルバネの付勢力によって押し出され、外向き噛み合い突起と内向き噛み合い突起が噛み合い状態になって、リール１７６の回転はロックされる。
［００３９］
＜第５０の実施の形態＞
図７０に示す本発明を実施するための最良の第１５の実施の形態において前記第１４の実施の形態と主に異なる点は、カード等保持部１７２の裏側にリール収納部１７３を下から上に向けて移動させ嵌め込みセットするリール筐体嵌め込みセット部１８５を設けてなるロック機構付き付勢巻取り装置１８６を形成した点にある。
このような構成としても、前記第１４の実施の形態のものと同様な作用・効果を得ることができる。
カード等保持部１７２の裏側にリール収納部１７３を固定した形態であるので、面ファスナによる係着、平フックとフック掛けなどによっても可能である。
［００４０］
＜第５１の実施の形態＞
図７１に示す本発明を実施するための最良の第１６の実施の形態において前記第１４の実施の形態と主に異なる点は、カード等保持部１７２そのものを四角形の筐体形態として、該筐体からなるリール収納部１８５とし、カード等保持部を透明板１８６を有するカード等１８７を上から挿入収納するカード等保持部１８８とし、リール収納部１８５の上部にリール紐を摘み易くするための凹１８９を設けてなるロック機構付き付勢巻取り装置１９０を形成した点にある。
［００４１］
＜第５２の実施の形態＞
図７２に示す本発明を実施するための最良の第１７６の実施の形態において前記第１３の実施の形態と主に異なる点は、ロック解除部１２２およびロック解除ボタン１２４をケース本体１６２（カード等保持部）の裏側の右リール体１４９、左リール体１５０の上方に設けてなるロック機構付き付勢巻取り装置１９２を形成した点にある。
［００４２］
＜第５３の実施の形態＞
図７３に示す本発明を実施するための最良の第１６の実施の形態において前記第１３の実施の形態と主に異なる点は、ロック解除部１２２とケース本体１６２の間に一枚板からなる延長部１９４を設け、この延長部１９４の前部にカード等保持部１７２を設け、裏側にループ側面ファスナ１８３を設け、ロック解除部１２２の下方に右リール紐１５３ａ、左リール紐１５３ｂを後ろ側に通す紐通し孔１９３を設けてなる付勢巻取り式携帯補助１９５を形成した点にある。
【産業上の利用可能性】
【００３６】
本発明はカード携行補助具あるいは携帯電話携行補助具などの携帯品携行補助具を製造する産業で利用される。
【図面の簡単な説明】
【００３７】
【図１】本発明を実施するための最良の第１の実施の形態の正面図、携帯電話を保持した側面図および携帯電話を保持し細紐ループ取付け部材を取付けた縮小正面図。
【図２】本発明を実施するための最良の第１の実施の形態の巻取り紐を通した状態のロック体の正面図、底面図、正面図中央横断面図および正面図中央縦断面図。
【図３】本発明を実施するための最良の第２の実施の形態の正面図、側面図、携帯電話を保持し側面図および携帯電話の平面図。
【図４】本発明を実施するための最良の第３の実施の形態の正面図、携帯電話を保持した背面図、携帯電話を保持した側面図および携帯電話の平面図。
【図５】本発明を実施するための最良の第４の実施の形態の正面図、携帯電話の背面図、携帯電話に装着した状態の背面図および携帯電話に装着した状態の側面図。
【図６】本発明を実施するための最良の第５の実施の形態の正面図、携帯電話の背面図、携帯電話を装着した状態の背面図および携帯電話に装着した状態の側面図。
【図７】本発明を実施するための最良の第６の実施の形態の正面図、ロック体のロック状態の平面図およびロック体のロック解除状態の平面図。
【図８】本発明を実施するための最良の第７の実施の形態の正面図（ａ）、下降移動させた状態の正面図（ｂ）および他の変形形態の正面図（ｃ）。
【図９】本発明を実施するための最良の第７の実施の形態のロック体のロック状態の正面図およびロック解除状態の正面図。
【図１０】本発明を実施するための最良の第７の実施の形態の使用状態図。
【図１１】本発明を実施するための最良の第８の実施の形態の正面図および部分拡大組立分解図。
【図１２】本発明を実施するための最良の第９の実施の形態のロック状態の正面図、ロック状態の側面図および巻き取り紐を引き出し延ばしたロック解除状態の側面図
【図１３】本発明を実施するための最良の第１０の実施の形態の正面図。
【図１４】本発明を実施するための最良の第１１の実施の形態の正面図、携帯電話を保持した状態の側面図および巻き取り紐を引き出し延ばし携帯電話を保持した状態の側面図。
【図１５】本発明を実施するための最良の第１２の実施の形態の付勢巻取り装置の断面図。
【図１６】本発明を実施するための最良の第１２の実施の形態の正面図。
【図１７】本発明を実施するための最良の第１３の実施の形態の正面図。
【図１８】本発明を実施するための最良の第１４の実施の形態の付勢巻取り装置のロック状態の断面図および付勢巻取り装置のロック解除状態の断面図。
【図１９】本発明を実施するための最良の第１４の実施の形態の正面図。
【図２０】本発明を実施するための最良の第１５の実施の形態の正面図。
【図２１】本発明を実施するための最良の第１６の実施の形態の正面図。
【図２２】本発明を実施するための最良の第１６の実施の形態の付勢巻取り装置のＡ−Ａ線切断断面図。
【図２３】本発明を実施するための最良の第１７の実施の形態の正面図。
【図２４】本発明を実施するための最良の第１８の実施の形態の正面図、側面図、A−A線切断拡大断面図。
【図２５】本発明を実施するための最良の第１９の実施の形態の正面図、側面図、A−A線切断拡大断面図。
【図２６】本発明を実施するための最良の第２０の実施の形態の正面図。
【図２７】本発明を実施するための最良の第２１の実施の形態のロック状態の断面図、ロック解除状態の断面図および平面図。
【図２８】本発明を実施するための最良の第２２の実施の形態の正面図および使用状態図。
【図２９】本発明を実施するための最良の第２３の実施の形態の正面図、側面図、平面図、背面図。
【図３０】本発明を実施するための最良の第２３の実施の形態の携帯電話を取り付けた状態の正面図、側面図、背面図。
【図３１】本発明を実施するための最良の２３実施の形態の巻取りロック機構を示す正面図および巻取りロック機構を示す側面図。
【図３２】本発明を実施するための最良の第２４の実施の形態の巻取りロック機構を示す正面図および巻取りロック機構を示すリール紐を省略した側面図。
【図３３】本発明を実施するための最良の第２４の実施の形態の正面図、背面図、携帯電話の背面図および携帯電話を取り付けた状態の背面図。
【図３４】本発明を実施するための最良の第２５の実施の形態の正面図、側面図および背面図。
【図３５】本発明を実施するための最良の第２５の実施の形態の内部構造を示す正面図およびその側面図。
【図３６】本発明を実施するための最良の第２５の実施の形態の携帯電話を取り付けた状態の正面図、その側面図およびその背面図。
【図３７】本発明を実施するための最良の第２６の実施の形態の内部構造を示す正面図、中央縦断面図および動作を示す内部構造側面図。
【図３８】本発明を実施するための最良の第２７の実施の形態の正面図、携帯電話を取り付けた状態の側面図および携帯電話を取り付けた状態の正面図。
【図３９】本発明を実施するための最良の第２７の実施の形態の内部構造と動作を示す平面図と正面図。
【図４０】本発明を実施するための最良の第２８の実施の形態の正面図、側面図、内部構造を示す正面図およびロック機構部の動作説明図。
【図４１】本発明を実施するための最良の第２８の実施の形態のカードケースを接着取り付けた状態の正面図、背面図、側面図。
【図４２】本発明を実施するための最良の第２９の実施の形態の内部構造を正面図およびロック機構部の動作図。
【図４３】本発明を実施するための最良の第３０の実施の形態の正面図、背面図および側面図。
【図４４】本発明を実施するための最良の第３２の実施の形態のディスプレー部を少し開いた状態の側面図およびディスプレー部を閉じた状態の正面図。
【図４５】本発明を実施するための最良の第３２の実施の形態のディスプレー部を90度開いた状態の側面図およびディスプレー部を閉じた状態の正面図。
【図４６】本発明を実施するための最良の第３３の実施の形態の正面図、側面図および背面図。
【図４７】本発明を実施するための最良の第３４の実施の形態の正面図、側面図および背面図。
【図４８】本発明を実施するための最良の第３５の実施の形態の正面図、側面図および内部構造を示す正面図。
【図４９】本発明を実施するための最良の第３６の実施の形態の正面図、側面図、平面図、背面図。
【図５０】本発明を実施するための最良の第３６の実施の形態の携帯電話を取り付けた状態の正面図、側面図、背面図。
【図５１】本発明を実施するための最良の３６実施の形態の巻取りロック機構を示す正面図および巻取りロック機構を示す側面図。
【図５２】本発明を実施するための最良の第３７の実施の形態の巻取りロック機構を示す正面図および巻取りロック機構を示すリール紐を省略した側面図。
【図５３】本発明を実施するための最良の第３７の実施の形態の正面図、背面図、携帯電話の背面図および携帯電話を取り付けた状態の背面図。
【図５４】本発明を実施するための最良の第３８の実施の形態の正面図、側面図および背面図。
【図５５】本発明を実施するための最良の第３８の実施の形態の内部構造を示す正面図およびその側面図。
【図５６】本発明を実施するための最良の第３８の実施の形態の携帯電話を取り付けた状態の正面図、その側面図およびその背面図。
【図５７】本発明を実施するための最良の第３９の実施の形態の内部構造を示す正面図、中央縦断面図および動作を示す内部構造側面図。
【図５８】本発明を実施するための最良の第４０の実施の形態の正面図、携帯電話を取り付けた状態の側面図および携帯電話を取り付けた状態の正面図。
【図５９】本発明を実施するための最良の第４０の実施の形態の内部構造と動作を示す平面図と正面図。
【図６０】本発明を実施するための最良の第４１の実施の形態の正面図、側面図、内部構造を示す正面図およびロック機構部の動作説明図。
【図６１】本発明を実施するための最良の第４１の実施の形態のカードケースを接着取り付けた状態の正面図、背面図、側面図。
【図６２】本発明を実施するための最良の第４２の実施の形態の内部構造を正面図およびロック機構部の動作図。
【図６３】本発明を実施するための最良の第４３の実施の形態の正面図、背面図および側面図。
【図６４】本発明を実施するための最良の第４４の実施の形態のディスプレー部を少し開いた状態の側面図およびディスプレー部を閉じた状態の正面図。
【図６５】本発明を実施するための最良の第４５の実施の形態のディスプレー部を90度開いた状態の側面図およびディスプレー部を閉じた状態の正面図。
【図６６】本発明を実施するための最良の第４６の実施の形態の正面図、側面図および背面図。
【図６７】本発明を実施するための最良の第４７の実施の形態の正面図、側面図および背面図。
【図６８】本発明を実施するための最良の第４８の実施の形態の正面図、側面図および内部構造を示す正面図。
【図６９】本発明を実施するための最良の第４９の実施の形態の正面図、側面図および背面図。
【図７０】本発明を実施するための最良の第５０の実施の形態の正面図、側面図、背面図、カード等保持部の背面図、その底面図およびリール収納部の背面図。
【図７１】本発明を実施するための最良の第５１の実施の形態の背面図、側面図および正面図。
【図７２】本発明を実施するための最良の第５２の実施の形態の背面図、側面図および正面図。
【図７３】本発明を実施するための最良の第５３の実施の形態の正面図、側面図および背面図。
【符号の説明】
【００３８】
Ｋ：携帯電話、
１：付勢巻取り式ネックストラップ装置、
２：プレート、
３：付勢巻取り装置、
４：フック面ファスナ、
５、５、５、５：掛け穴、
６：首掛け帯紐、
７：細紐ループ取付け部材、
８：開閉環、
９：前プレート、
１０：後プレート、
１１：筐体、
１２：首掛けループ、
１３：巻取り紐、
１４：巻取り紐、
１５：案内コロ、
１６：案内コロ、
１７：付勢巻取り装置本体、
１８：案内コロ、
１９：案内コロ、
２０：巻取り紐案内部、
２１：ロック体、
２２、２２：着脱パーツ、
２３：ループ面ファスナ、
３５：外駒、
３６：ヘッド、
３７：付勢手段入り部、
３８：支柱、
３９：挟持板、
４０：摘み抑え込みロック解除部（内駒）、
４１：押し出し付勢手段、
４２、４２：外駒紐通し孔、
４３、４３：分離部、
５０：フック、
５１：フック、
５３：付勢巻取り式ネックストラップ装置、
５４：フック掛、
５５：フック掛、
５６：付勢巻取り装置、
５７：筐体、
５８、５８：巻取り紐、
５９：付勢巻取り装置本体、
６０：付勢巻取り装置本体、
６１：フック面ファスナ、
６２：吊バンド、
６３：ループ面ファスナ、
６４：付勢巻取り式ネックストラップ装置、
６５：バンド通し掛り部、
６８：携帯品取付け部、
６９、６９、６９、６９：係止凹部、
７０：付勢巻取り式ネックストラップ装置、
７１，７１，７１，７１：携帯品側係止部、
７３、７３：巻取り紐、
７４：付勢巻取り装置本体、
７５：付勢巻取り式ネックストラップ装置、
７７：ロック体、
７８：付勢巻取り式ネックストラップ装置、
７９ａ、７９ｂ：支柱、
８０：下部プレート、
８１：上部プレート、
８２：可動体、
８３：挟持部、
８４ａ、８４ｂ：圧縮コイルバネ、
８６：付勢巻取り式ネックストラップ装置、
８７：ベースプレート、
８８：ロック体、
８９：カードケース、
９０：首掛け紐部、
９１：クリップ、
９２：付勢巻取り装置、
９３：紐通し穴、
９４：外駒、
９５：紐通し穴、
９６：摘み抑え込みロック解除部、
９７：圧縮コイルバネ、
９８：付勢巻取り装置、
９９：付勢巻取り式ネックストラップ装置、
１００：付勢巻取り装置、
１０３：雄パーツ、
１０４：紐通し部、
１０５：雌パーツ、
１０６：細吊り紐、
１０７：着脱パーツ、
１０８：ロック体、
１０９：摘み抑え込みロック解除部、
１１０：抑え嘴部位、
１１１：受け挟持部、
１１２、１１２ａ、１１２ｂ：付勢巻取り装置、
１１３：付勢巻取り式ネックストラップ装置、
１１４：指当て部、
１１６：連結部、
１１７：付勢巻取り式ネックストラップ装置、
１２０：付勢巻取り式ネックストラップ装置、
１２１：付勢巻取り装置、
１２４：付勢巻取り式ネックストラップ装置、
１２５、１２５ａ、１２５ｂ：付勢巻取り装置、
１２６、１２６ａ、１２６ｂ：リール、
１２７：開口部、
１２８：付勢巻取り装置本体、
１２９：ロック体、
１３０：付勢手段、
１３１：巻取り紐引出し口、
１３２：固定軸、
１３３：軸支部、
１３４：発条、
１３６：付勢巻取り式ネックストラップ装置、
１３９：付勢巻取り式ネックストラップ装置、
１４０、１４０ａ、１４０ｂ：付勢巻取り装置、
１４１：前鍔、
１４２：後鍔、
１４３：紐巻取り溝、
１４４：リール、
１４５：摘み抑え込みロック解除部通し穴、
１４６：案内軸、
１４７：圧縮コイルバネ、
１４８：リール当接ロック部、
１４９：可動体、
１５０：摘み抑え込みロック解除部、
１５１：付勢巻取り装置本体、
１５３：付勢巻取り式ネックストラップ装置、
１５５：付勢巻取り式ネックストラップ装置、
１５６：付勢巻取り装置、
１５７：筐体、
１５８：第１の固定支柱、
１５９：第２の固定支柱、
１６０：第１の発条、
１６１：第２の発条、
１６２：発条囲い部、
１６３：鍔部、
１６４：紐巻取り溝、
１６５：第１のリール、
１６６：第２のリール、
１６７：摘み抑え込みロック解除部し通し穴、
１６８：案内軸、
１６９：圧縮コイルバネ、
１７０：リール当接ロック部、
１７１：可動体、
１７２：摘み抑え込みロック解除部、
１７５：付勢巻取り式ネックストラップ装置、
１７８：付勢巻取り式ネックストラップ装置、
１７９：付勢巻取り装置、
１８０：摘み抑え込みロック解除部支持案内部、
１８１：摘み抑え込みロック解除部突出口、
１８２：摘み抑え込みロック解除部、
１８３：圧縮コイルバネ、
１８４：圧縮コイルバネ、
１８５：紐通し穴、
１８８：付勢巻取り式ネックストラップ装置、
１８９：天板、
１９０：巻取り紐案内コロ、
１９２：筐体、
１９３：付勢巻取り式ネックストラップ装置、
１９４：付勢巻取り装置
２００：ロック片、
２０１：付勢手段、
２０２：摘み抑え込みロック解除部、
２０３：ロック部、
２０４：付勢巻取り装置、
２０７：首掛け部体、
２０８：付勢巻取り式ネックストラップ装置。
【図１】
2009195580.tif 000003
【図２】
2009195580.tif 000004
【図３】
2009195580.tif 000005
【図４】
2009195580.tif 000006
【図５】
2009195580.tif 000007
【図６】
2009195580.tif 000008
【図７】
2009195580.tif 000009
【図８】
2009195580.tif 000010
【図９】
2009195580.tif 000011
【図１０】
2009195580.tif 000012
【図１１】
2009195580.tif 000013
【図１２】
2009195580.tif 000014
【図１３】
2009195580.tif 000015
【図１４】
2009195580.tif 000016
【図１５】
2009195580.tif 000017
【図１６】
2009195580.tif 000018
【図１７】
2009195580.tif 000019
【図１８】
2009195580.tif 000020
【図１９】
2009195580.tif 000021
【図２０】
2009195580.tif 000022
【図２１】
2009195580.tif 000023
【図２２】
2009195580.tif 000024
【図２３】
2009195580.tif 000025
【図２４】
2009195580.tif 000026
【図２５】
2009195580.tif 000027
【図２６】
2009195580.tif 000028
【図２７】
2009195580.tif 000029
【図３０】
2009195580.tif 000030
【図３２】
2009195580.tif 000031
【図３３】
2009195580.tif 000032
【図３５】
2009195580.tif 000033
【図３６】
2009195580.tif 000034
【図３７】
2009195580.tif 000035
【図３８】
2009195580.tif 000036
【図３９】
2009195580.tif 000037
【図４０】
2009195580.tif 000038
【図４１】
2009195580.tif 000039
【図４２】
2009195580.tif 000040
【図４３】
2009195580.tif 000041
【図４４】
2009195580.tif 000042
【図４５】
2009195580.tif 000043
【図４６】
2009195580.tif 000044
【図４７】
2009195580.tif 000045
【図４８】
2009195580.tif 000046
【図５０】
2009195580.tif 000047
【図５２】
2009195580.tif 000048
【図５３】
2009195580.tif 000049
【図５５】
2009195580.tif 000050
【図５６】
2009195580.tif 000051
【図５７】
2009195580.tif 000052
【図５８】
2009195580.tif 000053
【図５９】
2009195580.tif 000054
【図６０】
2009195580.tif 000055
【図６１】
2009195580.tif 000056
【図６２】
2009195580.tif 000057
【図６３】
2009195580.tif 000058
【図６４】
2009195580.tif 000059
【図６５】
2009195580.tif 000060
【図６６】
2009195580.tif 000061
【図６７】
2009195580.tif 000062
【図６８】
2009195580.tif 000063
【図６９】
2009195580.tif 000064
【図７０】
2009195580.tif 000065
【図７１】
2009195580.tif 000066
【図７２】
2009195580.tif 000067
【図７３】
2009195580.tif 000068
【図２８】
2009195580.tif 000069
【図２９】
2009195580.tif 000070
【図３１】
2009195580.tif 000071
【図３４】
2009195580.tif 000072
【図４９】
2009195580.tif 000073
【図５１】
2009195580.tif 000074
【図５４】
2009195580.tif 000075